(57)【要約】【課題】複数の端末機の使用者が複数の投稿情報の中から優先して読むべき投稿情報を直ぐに判断することができる技術を提供する。【解決手段】通信ネットワーク４を介して複数の端末機２とサーバ３とが接続されて、端末機２の使用者から、投稿情報を受付け、また、評価情報を受付ける、投稿評価システム１であって、サーバ３は、端末機２から送信される投稿情報を記憶する投稿情報記憶部３１と、評価情報を記憶する評価情報記憶部３２と、端末機２から送信される評価情報と評価情報記憶部３２に既に記憶されている評価情報とを集計する処理を行う情報処理部３０と、を備え、集計する処理が行われる毎に評価情報記憶部３２に記憶される評価情報が更新され、投稿情報と評価情報とを複数の端末機２に送信するように構成され、複数の端末機２は、サーバ３から送信される投稿情報と評価情報とをそれぞれのモニタに表示するように構成される。【選択図】図１
2014013509.tif 000002
【特許請求の範囲】
【請求項１】
通信ネットワークを介して複数の端末機とサーバとが接続されて、前記端末機の使用者から、投稿情報を受付け、また、前記投稿情報についての評価に関する情報である評価情報を受付ける、投稿評価システムであって、
前記サーバは、前記端末機から送信される前記投稿情報を記憶する投稿情報記憶部と、前記評価情報を記憶する評価情報記憶部と、前記端末機から送信される前記評価情報と評価情報記憶部に既に記憶されている評価情報とを集計する処理を行う情報処理部と、を備え、前記集計する処理が行われる毎に前記評価情報記憶部に記憶される評価情報が更新され、前記投稿情報と前記評価情報とを前記複数の端末機に送信するように構成され、
前記複数の端末機は、モニタをそれぞれ備え、前記サーバから送信される前記投稿情報と前記評価情報とを前記モニタに表示するように構成される、
投稿評価システム。
【請求項２】
前記サーバは、前記端末機の使用者が前記端末機を操作して未読の前記投稿情報を選択することによって前記端末機から送信される既読情報を記憶する既読情報記憶部と、前記端末機の使用者毎の既読の投稿情報の割合に関する情報である読了率情報を記憶する読了率情報記憶部と、を備え、前記端末機から送信される前記既読情報と前記既読情報記憶部に既に記憶されている前記端末機の使用者の既読情報とから前記読了率情報を生成する処理を前記情報処理部が行い、前記読了率情報を生成する処理が行われる毎に前記読了率情報記憶部に記憶される読了率情報が更新され、前記読了率情報を前記複数の端末機に送信するように構成され、
前記複数の端末機は、前記サーバから送信される前記読了率情報を前記モニタに表示するように構成される、
請求項１に記載の投稿評価システム。
【請求項３】
前記サーバは、前記端末機の使用者が前記端末機を操作して前記投稿情報が重要投稿であることが選択された場合に前記端末機から送信される重要投稿情報を記憶する重要投稿情報記憶部を備え、前記重要投稿情報を前記複数の端末機に送信するように構成され、
前記複数の端末機は、前記サーバから送信される前記重要投稿情報の対象の投稿情報を前記モニタにそれぞれ表示するときに、前記投稿情報とともに前記投稿情報が重要投稿である旨をそれぞれ表示するように構成される、
請求項１または請求項２に記載の投稿評価システム。
【発明の詳細な説明】
【技術分野】
【０００１】
本発明は、通信ネットワークを介して複数の端末機とサーバとが接続されて、端末機の使用者から、投稿情報を受付け、また、投稿情報についての評価に関する情報である評価情報を受付ける、投稿評価システムの技術に関する。
【背景技術】
【０００２】
従来、通信ネットワークを介して複数の端末機とサーバとが接続されて、複数の端末機とサーバとの間で種々の情報のやりとりを行う技術は種々知られている（特許文献１参照）。
【０００３】
また、このような技術として、通信ネットワークを介して複数の端末機とサーバとが接続されて、端末機の使用者から、投稿情報を受付け、また、投稿情報についての評価に関する情報である評価情報を受付ける、投稿評価システムが公知となっている。
前記投稿評価システムは、複数の投稿情報および複数の評価情報を、サーバから複数の端末機に送信して、当該複数の端末機のモニタに表示する。
【０００４】
前記投稿評価システムは、例えば、組織の構成員の合意形成を図る手段、または、組織の方針決定の手段として、複数の構成員が属する会社、組合等の組織において用いられる。
前記投稿評価システムでは、ミス、トラブル、成功体験、若しくは、状況分析等に関する報告、または、構成員への指示等を投稿情報として端末機から入力し、前記入力された投稿情報を複数の端末機のモニタに表示する。また、前記投稿評価システムでは、端末機のモニタに表示される前記投稿情報を読んだ者が当該投稿情報に関する評価情報を端末機に入力し、前記入力された評価情報を複数の端末機のモニタに表示する。
そして、前記投稿評価システムでは、端末機のモニタに表示される投稿情報および投稿情報に関する評価情報を基にして、投稿評価システムの使用者（組織）が、組織の構成員の合意形成を図り、または、組織の方針決定を行う。
【先行技術文献】
【特許文献】
【０００５】
【特許文献１】特開２００２−１５０７８号公報
【発明の概要】
【発明が解決しようとする課題】
【０００６】
しかしながら、前記投稿評価システムでは、投稿情報の数が多くなればなるほど、複数の端末機の使用者は、優先して読むべき投稿情報から順に読んで行きたいと思う場合がある。
そして、前記投稿評価システムでは、複数の投稿情報は、当該複数の端末機のモニタに単に並べて表示される。
このため、前記投稿評価システムでは、複数の端末機の使用者は、モニタに並べて表示される複数の投稿情報を見ても、優先して読むべき投稿情報を直ぐに判断することができない。
【０００７】
本発明は以上の如き状況に鑑みてなされたものであり、複数の端末機の使用者が複数の投稿情報の中から優先して読むべき投稿情報を直ぐに判断することができる技術を提供することを課題とする。
【課題を解決するための手段】
【０００８】
本発明の解決しようとする課題は以上の如くであり、次にこの課題を解決するための手段を説明する。
【０００９】
即ち、請求項１においては、通信ネットワークを介して複数の端末機とサーバとが接続されて、前記端末機の使用者から、投稿情報を受付け、また、前記投稿情報についての評価に関する情報である評価情報を受付ける、投稿評価システムであって、前記サーバは、前記端末機から送信される前記投稿情報を記憶する投稿情報記憶部と、前記評価情報を記憶する評価情報記憶部と、前記端末機から送信される前記評価情報と評価情報記憶部に既に記憶されている評価情報とを集計する処理を行う情報処理部と、を備え、前記集計する処理が行われる毎に前記評価情報記憶部に記憶される評価情報が更新され、前記投稿情報と前記評価情報とを前記複数の端末機に送信するように構成され、前記複数の端末機は、モニタをそれぞれ備え、前記サーバから送信される前記投稿情報と前記評価情報とを前記モニタに表示するように構成されるものである。
【００１０】
請求項２においては、前記サーバは、前記端末機の使用者が前記端末機を操作して未読の前記投稿情報を選択することによって前記端末機から送信される既読情報を記憶する既読情報記憶部と、前記端末機の使用者毎の既読の投稿情報の割合に関する情報である読了率情報を記憶する読了率情報記憶部と、を備え、前記端末機から送信される前記既読情報と前記既読情報記憶部に既に記憶されている前記端末機の使用者の既読情報とから前記読了率情報を生成する処理を前記情報処理部が行い、前記読了率情報を生成する処理が行われる毎に前記読了率情報記憶部に記憶される読了率情報が更新され、前記読了率情報を前記複数の端末機に送信するように構成され、前記複数の端末機は、前記サーバから送信される前記読了率情報を前記モニタに表示するように構成されるものである。
【００１１】
請求項３においては、前記サーバは、前記端末機の使用者が前記端末機を操作して前記投稿情報が重要投稿であることが選択された場合に前記端末機から送信される重要投稿情報を記憶する重要投稿情報記憶部を備え、前記重要投稿情報を前記複数の端末機に送信するように構成され、前記複数の端末機は、前記サーバから送信される前記重要投稿情報の対象の投稿情報を前記モニタにそれぞれ表示するときに、前記投稿情報とともに前記投稿情報が重要投稿である旨をそれぞれ表示するように構成されるものである。
【発明の効果】
【００１２】
本発明の効果として、以下に示すような効果を奏する。
【００１３】
即ち、本発明によれば、複数の端末機の使用者が複数の投稿情報の中から優先して読むべき投稿情報を直ぐに判断することができる。
【図面の簡単な説明】
【００１４】
【図１】本発明の第一実施形態に係る投稿評価システムの全体的な構成を示したブロック図。
【図２】同じく投稿評価システムの端末機のモニタに表示されるメイン画面を示した図。
【図３】同じくメイン画面を示した図。
【図４】同じく投稿内容画面を示した図。
【図５】同じく新規投稿画面を示した図。
【図６】本発明の第一実施形態に係る投稿評価システムの一連の動作を示したフロー図。
【図７】同じく一連の動作を示したフロー図。
【図８】同じく一連の動作を示したフロー図。
【図９】同じく一連の動作を示したフロー図。
【図１０】本発明の第二実施形態に係る投稿評価システムの全体的な構成を示したブロック図。
【図１１】同じく投稿評価システムの端末機のモニタに表示されるメイン画面を示した図。
【図１２】同じくメイン画面を示した図。
【図１３】同じくミーティング報告登録画面を示した図。
【図１４】本発明の第二実施形態に係る投稿評価システムの一連の動作を示したフロー図。
【図１５】同じく一連の動作を示したフロー図。
【図１６】本発明の第三実施形態に係る投稿評価システムの全体的な構成を示したブロック図。
【図１７】同じく投稿評価システムの端末機のモニタに表示されるメイン画面を示した図。
【図１８】同じく新規投稿画面を示した図。
【図１９】同じくメイン画面を示した図。
【図２０】同じく課題管理画面を示した図。
【図２１】同じく課題分担スケジュール画面を示した図。
【図２２】同じく課題分担スケジュール登録画面を示した図。
【図２３】本発明の第三実施形態に係る投稿評価システムの一連の動作を示したフロー図。
【図２４】本発明の第四実施形態に係る投稿評価システムの全体的な構成を示したブロック図。
【図２５】同じく投稿評価システムの端末機のモニタに表示されるメイン画面を示した図。
【図２６】同じく返信状況画面を示した図。
【図２７】同じく新規投稿画面を示した図。
【図２８】同じく投稿内容画面を示した図。
【図２９】本発明の第四実施形態に係る投稿評価システムの一連の動作を示したフロー図。
【図３０】本発明の第五実施形態に係る投稿評価システムの全体的な構成を示したブロック図。
【図３１】同じく投稿評価システムの端末機のモニタに表示されるメイン画面を示した図。
【図３２】本発明の第五実施形態に係る投稿評価システムの一連の動作を示したフロー図。
【図３３】本発明の第六実施形態に係る投稿評価システムの全体的な構成を示したブロック図。
【図３４】同じく投稿評価システムの端末機のモニタに表示されるメイン画面を示した図。
【図３５】本発明の第六実施形態に係る投稿評価システムの一連の動作を示したフロー図。
【発明を実施するための形態】
【００１５】
次に、本発明の第一実施形態に係る投稿評価システム１について、図１から図９を用いて説明する。
【００１６】
投稿評価システム１は、図１に示すように、サーバ３と、複数の端末機２・２・・・と、を備える。
投稿評価システム１は、通信ネットワーク４（イントラネット）を介して複数の端末機２とサーバ３とが接続されて、複数の端末機２とサーバ３との間で種々の情報のやりとりを行うものである。投稿評価システム１は、例えば、複数の構成員が属する会社、組合等の組織において用いられる。
投稿評価システム１は、通信ネットワーク４を介して、ＩＤ登録を受けている端末機２の使用者から、投稿情報を受付け、また、投稿情報についての評価情報を受付けるように構成される。
【００１７】
投稿評価システム１のサーバ３は、通信ネットワーク４を介して複数の端末機２に接続されて、複数の端末機２から送信される種々の情報を受信し、種々の情報を処理し、種々の情報を記憶し、また、種々の情報を複数の端末機２に送信するように構成される。
【００１８】
投稿評価システム１におけるサーバ３は、情報処理部３０と、投稿情報記憶部３１と、評価情報記憶部３２と、既読情報記憶部３３と、読了率情報記憶部３４と、ＩＤ情報記憶部３５と、重要投稿情報記憶部３６と、を備える。
【００１９】
投稿評価システム１におけるサーバ３の情報処理部３０は、種々の情報の処理を行うように構成される。
サーバ３の投稿情報記憶部３１は、投稿情報を記憶するように構成される。
サーバ３の評価情報記憶部３２は、評価情報を記憶するように構成される。
サーバ３の既読情報記憶部３３は、既読情報を記憶するように構成される。
サーバ３の読了率情報記憶部３４は、読了率情報を記憶するように構成される。
サーバ３のＩＤ情報記憶部３５は、ＩＤ情報が予め記憶されて構成される。
サーバ３の重要投稿情報記憶部３６は、重要投稿情報を記憶するように構成される。
【００２０】
投稿評価システム１の複数の端末機２は、通信ネットワーク４を介してサーバ３に接続されて、使用者によって操作されることによって種々の情報をサーバ３に送信し、種々の情報を処理し、種々の情報を記憶し、また、サーバ３から種々の情報を受信するように構成される。
複数の端末機２は、種々の情報を表示するモニタ、および、端末機２を操作するキーボードおよびマウス等をそれぞれ備える。
【００２１】
投稿評価システム１における端末機２は、情報処理部２０と、既読情報記憶部２１と、ＩＤ情報記憶部２２と、を備える。
【００２２】
投稿評価システム１における端末機２の情報処理部２０は、種々の情報の処理を行うように構成される。
端末機２の既読情報記憶部２１は、既読情報を記憶するように構成される。
端末機２のＩＤ情報記憶部２２は、ＩＤ情報が予め記憶されて構成される。
【００２３】
ここで、投稿情報とは、投稿に関する情報である。
評価情報とは、一つの投稿情報についての評価に関する情報である。
既読情報とは、複数の投稿情報のうち選択した投稿情報について端末機２の使用者が既読であることに関する情報である。
読了率情報とは、端末機２の使用者毎の既読の投稿情報の割合に関する情報である。
ＩＤ情報とは、端末機２を使用者毎のＩＤに関する情報である。
重要投稿情報とは、端末機２から送信される投稿情報が重要投稿であることに関する情報である。
【００２４】
投稿評価システム１における複数の端末機２は、それぞれの端末機２の使用者に操作されることによって、投稿情報、評価情報、既読情報、または、重要投稿情報をサーバ３に送信するように構成される。
サーバ３は、複数の端末機２から送信される投稿情報、評価情報、既読情報、または、重要投稿情報を受信するように構成される。
【００２５】
サーバ３は、その情報処理部３０が、端末機２から送信される投稿情報（受信した投稿情報）と、評価情報記憶部３２に既に記憶されている評価情報とを集計する処理を行うように構成される。
サーバ３は、前記情報処理部３０によって前記集計する処理が行われる毎に、評価情報記憶部３２に記憶される評価情報が更新されるように構成される。
【００２６】
サーバ３は、その情報処理部３０が、端末機２から送信される既読情報（受信した既読情報）と、既読情報記憶部３３に既に記憶されている前記端末機２の使用者の既読情報と、から、読了率情報を生成する処理を行うように構成される。
サーバ３は、前記情報処理部３０によって前記読了率情報を生成する処理が行われる毎に、読了率情報記憶部３４に記憶される読了率情報が更新されるように構成される。
【００２７】
サーバ３は、投稿情報記憶部３１に記憶される投稿情報、評価情報記憶部３２に記憶される評価情報、既読情報記憶部３３に記憶される既読情報、読了率情報記憶部３４に記憶される読了率情報、または、重要投稿情報記憶部３６に記憶される重要投稿情報を、複数の端末機２のそれぞれに送信するように構成される。
複数の端末機２は、サーバ３から送信される投稿情報、評価情報、既読情報、読了率情報、または、重要投稿情報、を受信するように構成される。複数の端末機２は、投稿情報、評価情報、または、読了率情報、を、それぞれのモニタに表示するように構成される。
【００２８】
端末機２を使用しようとする者は、端末機２を操作して自己のＩＤ情報を端末機２に入力する。
端末機２は、前記入力されたＩＤ情報がそのＩＤ情報記憶部２２に記憶されるＩＤ情報に存在するか否かを情報処理部２０が判断するように構成される。
端末機２は、前記入力されたＩＤ情報がそのＩＤ情報記憶部２２に記憶されるＩＤ情報の中に存在すると情報処理部２０が判断した場合には、複数の端末機２とサーバ３との間で種々の情報のやりとりが行われるように構成される。端末機２は、前記入力されたＩＤ情報がそのＩＤ情報記憶部２２に記憶されるＩＤ情報の中に存在すると情報処理部２０が判断した場合には、まず、そのモニタにメイン画面を表示する。
【００２９】
端末機２のモニタに表示されるメイン画面は、図２または図３に示すように、投稿情報一覧表示部５０と、読了率情報表示部５１と、検索部５３と、「新規投稿」５４とが表示されるように構成される。
【００３０】
端末機２におけるモニタのメイン画面の投稿情報一覧表示部５０には、端末機２の使用者が投稿情報を既読または未読であるかを問わず、投稿情報の一覧が表示される。
端末機２におけるモニタのメイン画面の投稿情報一覧表示部５０には、投稿情報が、投稿された順に（サーバ３の投稿情報記憶部３１に記憶された順に）新しいものを上から並べて表示される。
端末機２におけるモニタのメイン画面の投稿情報一覧表示部５０に表示される投稿情報は、当該投稿情報に関する、「投稿番号」、「タイトル」、「投稿者」、および、「投稿日時」、で構成される。
端末機２におけるモニタのメイン画面の投稿情報一覧表示部５０には、投稿情報に関する評価情報が当該投稿情報毎に並べて表示される。
端末機２におけるモニタのメイン画面の投稿情報一覧表示部５０に表示される評価情報は、投稿情報に関する、「投稿（発信）は○」、「内容が○」、「内容が不十分」、「内容がおかしい」、および、「事象は×」、の各項目と、当該各項目毎に集計された評価数と、で構成される。
【００３１】
端末機２は、モニタのメイン画面の投稿情報一覧表示部５０に表示される投稿情報の「投稿番号」を端末機２の使用者が選択（クリック）すると、メイン画面から投稿内容画面に移行するように構成される。
端末機２は、その情報処理部２０が、端末機２の使用者が選択した「投稿番号」の投稿情報と端末機２の既読情報記憶部２１の既読情報とを参照して、端末機２の使用者が選択した「投稿番号」の投稿情報が未読であるか否かについて判定を行うように構成される。
端末機２は、その情報処理部２０が端末機２の使用者が選択した「投稿番号」の投稿情報が未読であると判定した場合には、当該投稿情報に関する既読情報をサーバ３に送信するとともに、当該投稿情報に関する既読情報を端末機２の既読情報記憶部２１に記憶するように構成される。
【００３２】
端末機２におけるモニタのメイン画面の読了率情報表示部５１には、端末機２の使用者毎の読了率情報が表示される。
端末機２におけるモニタのメイン画面の読了率情報表示部５１は、使用者読了率表示部５１ａと、読了率ベスト一覧部と、読了率ワースト一覧部と、で構成される。
端末機２におけるモニタのメイン画面の読了率情報表示部５１の使用者読了率表示部５１ａには、当該端末機２を操作する端末機２の使用者の「名前（例えば、社員名）」と読了率情報とが表示される。
端末機２におけるモニタのメイン画面の読了率情報表示部５１の読了率ベスト一覧部には、読了率の高い読了率情報から順に上から並べて表示される。
端末機２におけるモニタのメイン画面の読了率情報表示部５１の読了率ワースト一覧部には、読了率の低い読了率情報から順に上から並べて表示される。
端末機２におけるモニタのメイン画面の読了率情報表示部５１のそれぞれの読了率情報には、「名前」が並べて表示される。端末機２におけるモニタのメイン画面の読了率情報表示部５１の「名前」は、ＩＤ情報が存在する端末機２を操作する端末機２の使用者以外の端末機２の使用者の名前を示す。
端末機２は、モニタのメイン画面の読了率情報表示部５１の使用者読了率表示部５１ａを端末機２の使用者が選択（クリック）すると、読了率情報表示部５１に代わって、未読投稿情報一覧表示部５２が表示されるように構成される。
【００３３】
端末機２におけるモニタのメイン画面の未読投稿情報一覧表示部５２は、自己（端末機２を操作する端末機２の使用者）に関する未読の投稿情報の一覧が表示されるように構成される。
端末機２におけるモニタのメイン画面の未読投稿情報一覧表示部５２に表示される投稿情報は、当該投稿情報に関する、「投稿番号」、「タイトル」、および、「投稿者」で構成される。
【００３４】
端末機２は、モニタのメイン画面の読了率情報表示部５１の使用者読了率表示部５１ａを端末機２の使用者が選択すると、端末機２の情報処理部２０が、サーバ３から送信される投稿情報と既読情報（受信した投稿情報と既読情報）を参照して、投稿情報に関して端末機２を操作する端末機２の使用者についての既読情報の有無の判断を行うように構成される。そして、端末機２は、投稿情報に関して端末機２を操作する端末機２の使用者の既読情報が存在すると判断される投稿情報以外の投稿情報（投稿情報に関して端末機２を操作する端末機２の使用者の既読情報が存在しない投稿情報）を、メイン画面の未読投稿情報一覧表示部５２に端末機２を操作する端末機２の使用者の未読の投稿情報の一覧として表示するように構成される。
端末機２におけるモニタのメイン画面の読了率情報表示部５１には、端末機２を操作する端末機２の使用者の未読の投稿情報が、投稿された順に（サーバ３の投稿情報記憶部３１に記憶された順に）新しいものを上から並べて表示される。
【００３５】
端末機２におけるモニタのメイン画面の検索部５３は、端末機２の使用者が投稿情報一覧表示部５０に表示される投稿情報一覧を検索して、所定の検索条件に合致する投稿情報のみを投稿情報一覧表示部５０に表示する際に用いるものである。
端末機２は、モニタのメイン画面の「新規投稿」５４を端末機２の使用者が選択（クリック）すると、メイン画面から新規投稿画面に移行するように構成される。
【００３６】
端末機２におけるモニタの投稿内容画面は、図４に示すように、投稿内容部６０と、評価判定部６１と、読了率情報表示部５１と、が表示されるように構成される。
【００３７】
端末機２におけるモニタの投稿内容画面の投稿内容部６０は、投稿情報、および、「返信」６０ａ、で構成される。
端末機２におけるモニタの投稿内容画面の投稿内容部６０に表示される投稿情報は、当該投稿情報に関する、「投稿番号」、「タイトル」、「投稿者」、「投稿日時」、「投稿文」、「返信元」、「返信先」および、「引用先」で構成される。
端末機２は、モニタの投稿内容画面の投稿内容部６０の「返信」６０ａを端末機２の使用者が選択（クリック）すると、メイン画面から新規投稿画面に移行するように構成される。
【００３８】
端末機２におけるモニタの投稿内容画面の評価判定部６１は、投稿内容部６０に表示される投稿情報に関する評価を端末機２の使用者が判定して、当該投稿情報に関する評価情報とするときに用いられるものである。端末機２におけるモニタの投稿内容画面の評価判定部６１は、投稿内容部６０に表示される投稿情報に関する、「投稿（発信）は○」、「内容が○」、「内容が不十分」、「内容がおかしい」、および、「事象は×」、の各項目と、当該各項目毎のチェックボックスと、「判定」６１ａと、で構成される。
ここで、評価情報は、一つの投稿情報について、「投稿（発信）は○」、「内容が○」、「内容が不十分」、「内容がおかしい」、および、「事象は×」の各項目毎に、サーバ３の情報処理部３０によって集計される。
【００３９】
端末機２は、端末機２の使用者が、モニタの投稿内容画面の評価判定部６１において、「投稿（発信）は○」、「内容が○」、「内容が不十分」、「内容がおかしい」、または、「事象は×」、の各項目のうち一つまたは複数の項目を選択し（各項目のチェックボックスにチェックを入れ）、端末機２の使用者が「判定」６１ａを選択（クリック）すると、前記選択した項目の内容で前記投稿情報に関する評価情報をサーバ３に送信するように構成される。
サーバ３は、端末機２から評価情報を受信すると、サーバ３の情報処理部３０が当該評価情報と、評価情報記憶部３２に既に記憶されている評価情報とを、「投稿（発信）は○」、「内容が○」、「内容が不十分」、「内容がおかしい」、または、「事象は×」、の各項目毎に、集計する処理を行うように構成される。
【００４０】
端末機２は、モニタの投稿内容画面の読了率情報表示部５１の使用者読了率表示部５１ａを端末機２の使用者が選択（クリック）すると、読了率情報表示部５１に代わって、未読投稿情報一覧表示部５２が表示されるように構成される。
端末機２は、投稿内容画面の未読投稿情報一覧表示部５２がメイン画面の未読投稿情報一覧表示部５２と同様の構成でモニタに表示するように構成される。
【００４１】
端末機２におけるモニタの新規投稿画面は、図５に示すように、「投稿者」、「タイトル」、および、「内容」の各欄と、「投稿」７０と、が表示されるように構成される。
端末機２は、モニタの新規投稿画面の「投稿者」、「タイトル」、および、「内容」の各欄に、端末機２の使用者が端末機２を操作して情報を入力できるように構成される。
端末機２は、モニタの新規投稿画面の「投稿者」、「タイトル」、および、「内容」の各欄に情報が入力された状態で、端末機２の使用者が「投稿」７０を選択（クリック）すると、前記「投稿者」、「タイトル」、および、「内容」の各欄に入力された情報（内容）を投稿情報として、当該投稿情報をサーバ３に送信するように構成される。
【００４２】
端末機２のモニタに表示される投稿情報について返信する場合には、端末機２の使用者は、投稿内容画面の投稿内容部６０の「返信」６０ａを選択して移行される新規投稿画面から投稿情報を投稿する。
端末機２は、端末機２の使用者が、投稿内容画面の投稿内容部６０の「返信」６０ａを選択して移行される新規投稿画面で、「投稿」７０を選択（クリック）すると、「返信」６０ａが選択される投稿情報（返信元の投稿情報）とともに投稿情報（返信先の投稿情報）をサーバ３に送信するように構成される。
そして、返信元の投稿情報とともに新規投稿された投稿情報（返信先の投稿情報）を受信したサーバ３は、前記新規投稿された投稿情報に当該返信元の投稿情報を関連付けする処理をその情報処理装置３０が行って、前記新規投稿された投稿情報を投稿情報記憶部３１に記憶するように構成される。
端末機２は、受信した投稿情報に返信元の投稿情報が関連付けられている場合には、モニタの投稿内容画面の投稿内容部６０の「返信元」に、返信元の投稿情報の「投稿番号」が表示されるように構成される（図４参照）。
また、返信元の投稿情報とともに新規投稿された投稿情報（返信先の投稿情報）を受信したサーバ３は、その情報処理装置３０が、投稿情報記憶部３１に記憶される当該返信元の投稿情報に返信先の投稿情報（前記新規投稿された投稿情報）を関連付けする処理を行うように構成される。
端末機２は、受信した投稿情報に返信先の投稿情報が関連付けられている場合には、モニタの投稿内容画面の投稿内容部６０の「返信先」に、返信先の投稿情報の「投稿番号」が表示されるように構成される（図４参照）。
【００４３】
投稿情報を引用して投稿情報を投稿するときには、端末機２の使用者は、モニタの新規投稿画面の「内容」の欄に、引用元の投稿情報の「投稿番号」を入力した（貼り付けた）状態で、「投稿」７０を選択（クリック）する。
端末機２は、端末機２の使用者が、モニタの新規投稿画面の「内容」の欄に引用元の投稿情報の「投稿番号」を入力した（貼り付けた）状態で、「投稿」７０を選択（クリック）すると、引用元の投稿情報の「投稿番号」とともに投稿情報をサーバ３に送信するように構成される。
そして、投稿情報を引用する投稿情報を受信したサーバ３は、その情報処理装置３０が、前記引用元の「投稿番号」から、投稿情報記憶部３１に記憶される当該「投稿番号」に関する投稿情報を導き、当該引用元の投稿情報に引用先の投稿情報を関連付けする処理を行うように構成される。
端末機２は、受信した投稿情報に引用先の投稿情報が関連付けられている場合には、モニタの投稿内容画面の投稿内容部６０の「引用先」に、引用先の投稿情報の「投稿番号」が表示されるように構成される（図４参照）。
【００４４】
以上のように、投稿評価システム１は、端末機２から送信される評価情報と評価情報記憶部３２に既に記憶されている評価情報とを集計する処理がサーバ３の情報処理部３０によって行われる毎に、サーバ３の評価情報記憶部３２に記憶される評価情報が更新されるように構成される。
投稿評価システム１は、前記更新された評価情報が複数の端末機２に送信されて、当該複数の端末機２のそれぞれのモニタに評価情報が表示されるように構成される。
このため、投稿評価システム１では、端末機２の使用者は、操作する端末機２のモニタを見れば、複数の投稿情報のうち、ある投稿情報の評価情報の数が他の投稿情報の評価情報と比べて多い（高い評価が多いまたは低い評価が多い）ことについて把握することができる。
そして、投稿評価システム１では、前記多く読まれている、または、注目されている投稿情報は、他の投稿情報に比べて読み進めていく優先順位が高いものと、操作する端末機２の使用者に認識させることができる。
このようにして、投稿評価システム１によれば、複数の端末機２の使用者が複数の投稿情報の中から優先して読むべき投稿情報を直ぐに判断することができる。
【００４５】
投稿評価システム１は、端末機２におけるモニタのメイン画面の投稿情報一覧表示部５０に表示される評価情報は、投稿情報に関する、「投稿（発信）は○」、「内容が○」、「内容が不十分」、「内容がおかしい」、および、「事象は×」、の各項目と、当該各項目毎に集計された評価数と、で構成される。
つまり、投稿評価システム１は、端末機２におけるモニタに表示される評価情報が評価軸が多軸化されて構成される。
このため、投稿評価システム１では、必ず正しい評価を受ける投稿情報を投稿をしなければいけない、という端末機２の使用者の意識を薄らげることができ、端末機２の使用者による投稿情報の投稿を促すことができる。
【００４６】
投稿評価システム１は、端末機２から送信される既読情報と既読情報記憶部２１に既に記憶されている前記端末機２の使用者の既読情報とから読了率情報を生成する処理がサーバ３の情報処理部３０によって行われる毎に、サーバ３の読了率情報記憶部３４に記憶される読了率情報が更新されるように構成される。
投稿評価システム１は、前記更新された読了率情報が複数の端末機２に送信されて、当該複数の端末機２のそれぞれのモニタに読了率情報が表示されるように構成される。
このため、投稿評価システム１では、端末機２の使用者は、操作する端末機２のモニタを見れば、他の端末機２の使用者または自己の読了率について把握することができる。
そして、投稿評価システム１では、他の端末機２の使用者の読了率よりも自己の読了率が低い場合に、端末機２の使用者に投稿情報を多く既読にして自己の読了率を高めようとする気持ちを抱かせることができる。
したがって、投稿評価システム１によれば、複数の端末機２の使用者に投稿情報を多く読むことを喚起させることができる。
【００４７】
また、投稿評価システム１では、図４に示すように、端末機２は、モニタの投稿内容画面には、投稿内容部６０と評価判定部６１と読了率情報表示部５１とに加えて、重要投稿選択部６３が表示されるように構成される。端末機２は、モニタのメイン画面の投稿情報一覧表示部５０において、例えば、投稿情報の投稿者の上長や投稿評価システム１の管理人等のように所定の端末機の使用者が投稿情報の「投稿番号」を選択した場合に、当該メイン画面から移行する投稿内容画面に重要投稿選択部６３が表示されるように構成される。
端末機２におけるモニタの投稿内容画面の重要投稿選択部６３は、投稿内容部６０に表示される投稿情報が重要投稿であるか否かを端末機２の使用者が選択するときに用いられるものである。端末機２におけるモニタの投稿内容画面の重要投稿選択部６３は、重要、および、一般、の各項目と、当該各項目毎のチェックボックスと、「更新」６３ａと、で構成される。
【００４８】
端末機２におけるモニタの投稿内容部６０に表示される投稿情報が重要投稿である場合には、端末機２の使用者が、モニタの投稿内容画面の重要投稿選択部６３において、重要の項目を選択し（重要の項目のチェックボックスにチェックを入れ）、「更新」６３ａを選択（クリック）する。前記モニタの投稿内容画面の重要投稿選択部６３において端末機２の使用者が「更新」６３ａを選択すると、端末機２は、投稿内容部６０に表示される投稿情報に関する重要投稿情報をサーバ３に送信するように構成される。重要投稿情報は、端末機２の使用者が端末機２を操作して投稿情報が重要投稿であることが選択された場合に端末機２からサーバ３に送信されるものである。
端末機２は、端末機２の使用者が、モニタの投稿内容画面の重要投稿選択部６３において一般の項目を選択し（一般の項目のチェックボックスにチェックを入れ）、「更新」６３ａを選択（クリック）すると、投稿内容部６０に表示される投稿情報に関する重要投稿情報がサーバ３に送信されないように構成される。
【００４９】
サーバ３は、前記端末機２から送信される重要投稿情報を記憶する。このとき、サーバ３は、その情報処理部３０によって端末機２のモニタの投稿内容画面の重要投稿選択部６３において重要の項目を選択された投稿情報と関連付けて、重要投稿情報記憶部３６に重要投稿情報を記憶する。
サーバ３は、投稿情報記憶部３１に記憶される投稿情報とともに、重要投稿情報記憶部３６に記憶される重要投稿情報を、複数の端末機に送信する。
【００５０】
端末機２は、その情報処理部２０が、サーバ３から送信される投稿情報と重要投稿情報（受信した投稿情報と重要投稿情報）を参照して、投稿情報が重要投稿であるか否かについて判断するように構成される。
端末機２は、その情報処理部２０によって重要投稿であると判断された場合には、投稿情報をそれぞれのモニタに表示するときに、投稿情報とともに当該投稿情報が重要投稿である旨をモニタに表示するように構成される。
例えば、端末機２は、モニタに表示されるメイン画面における投稿情報一覧表示部５０に、重要投稿情報に関する投稿情報が表示される箇所の背景色が重要投稿でないものと異なる色で表示されるように構成される。
また例えば、端末機２は、モニタに表示されるメイン画面における未読投稿情報一覧表示部５２に、重要投稿情報に関する投稿情報の投稿番号が表示される箇所の背景色が重要投稿でないものと異なる色で表示されるように構成される（図３参照）。このとき、端末機２は、端末機２におけるモニタのメイン画面の読了率情報表示部５１には、まず、端末機２を操作する端末機２の使用者の未読の投稿情報のうち重要投稿情報に関する投稿情報が、投稿された順に新しいものを上から並べて表示され、その下方に続けて、端末機２を操作する端末機２の使用者の未読の投稿情報のうち重要投稿でない投稿情報が、投稿された順に新しいものを上から並べて表示されるように構成される（図３参照）。
【００５１】
以上のように、投稿評価システム１は、サーバ３から送信される重要投稿情報の対象の投稿情報を複数の端末機２のそれぞれのモニタに表示するときに、投稿情報とともに投稿情報が重要投稿である旨を表示するように構成される。
このため、投稿評価システム１では、端末機２の使用者は、操作する端末機２のモニタを見れば、どの投稿情報が重要な投稿情報であるかについて把握することができる。
そして、投稿評価システム１では、重要な投稿情報は、重要でない投稿情報に比べて、読み進めていく優先順位が高いものと、端末機２の使用者に認識される。
このようにして、投稿評価システム１では、複数の端末機２の使用者が複数の投稿情報の中から優先して読むべき投稿情報を直ぐに判断することができる。
また、投稿評価システム１によれば、端末機２の使用者は、どの投稿情報が重要な投稿情報であるか否かについて操作する端末機２のモニタを見れば把握することができるため、重要な投稿情報の読みもれを防止することができる。
さらに、投稿評価システム１によれば、端末機２におけるモニタのメイン画面の読了率情報表示部５１には、端末機２を操作する端末機２の使用者の未読の投稿情報のうち重要投稿でない投稿情報の上方に、端末機２を操作する端末機２の使用者の未読の投稿情報のうち重要投稿情報に関する投稿情報が表示されるため、端末機２の使用者は、どの投稿情報が重要な投稿情報であるか否かについて操作する端末機２のモニタを見れば把握することができ、重要な投稿情報の読みもれを防止することができる。
【００５２】
投稿評価システム１では、端末機２におけるモニタのメイン画面の読了率情報表示部５１に表示される読了率を、端末機２の使用者毎の既読の重要投稿情報の対象の投稿情報に関する割合とすることもできる。
投稿評価システム１では、このように読了率を表示することにより、端末機２の使用者は、操作する端末機２のモニタを見れば、他の端末機２の使用者または自己の重要投稿情報の対象の投稿情報についての読了率について把握することができる。
そして、投稿評価システム１では、他の端末機２の使用者よりも自己の重要投稿情報の対象の投稿情報についての読了率が低い場合に、端末機２の使用者に重要投稿情報の対象の投稿情報を多く既読にして、自己の重要投稿情報の対象の投稿情報についての読了率を高めようとする気持ちを抱かせることができる。
したがって、投稿評価システム１によれば、複数の端末機２の使用者に重要投稿情報の対象の投稿情報を多く読むことを促すことができる。
【００５３】
投稿評価システム１は、端末機２の使用者に関する未読の投稿情報の一覧が端末機２のモニタに表示されるように構成される。
このため、投稿評価システム１によれば、モニタに表示される投稿情報の一覧から未読のものを探す複数の端末機２の使用者の煩わしさ、を解消することができる。
【００５４】
次に、投稿評価システム１を用いた投稿情報を評価する方法において、端末機２がサーバ３に投稿情報を送信してから、端末機２がそのモニタに投稿情報を表示する一連の動作について、図６を用いて説明する。
【００５５】
図６に示すように、投稿評価システム１の端末機２が投稿情報をサーバ３に送信する工程（ステップＳ１１）を行う。
このとき、複数の端末機２のうち一つの端末機２におけるモニタの新規投稿画面の「投稿者」、「タイトル」、および、「内容」の各欄に情報が入力された状態で、端末機２の使用者が「投稿」７０を選択すると、前記「投稿者」、「タイトル」、および、「内容」の各欄に情報が入力された内容を投稿情報として、端末機２は当該投稿情報をサーバ３に送信する。
前記端末機２が投稿情報をサーバ３に送信する工程（ステップＳ１１）を行った後、ステップＳ１２に移行する。
【００５６】
次に、サーバ３が前記端末機２から送信される投稿情報を受信する工程（ステップＳ１２）を行う。
前記サーバ３が端末機２から送信される投稿情報を受信する工程（ステップＳ１２）を行った後、ステップＳ１３に移行する。
【００５７】
次に、サーバ３が前記受信した投稿情報を投稿情報記憶部３１に記憶する工程（ステップＳ１３）を行う。
前記サーバ３が受信した投稿情報を投稿情報記憶部３１に記憶する工程（ステップＳ１３）を行った後、ステップＳ１４に移行する。
【００５８】
次に、サーバ３が投稿情報記憶部３１に記憶される投稿情報を端末機２に送信する工程（ステップＳ１４）を行う。
このとき、サーバ３は、投稿情報記憶部３１に記憶される投稿情報を複数の端末機２のそれぞれに送信する。
前記サーバ３が投稿情報記憶部３１に記憶される投稿情報を端末機２に送信する工程（ステップＳ１４）を行った後、ステップＳ１５に移行する。
【００５９】
次に、端末機２がサーバ３から送信される投稿情報を受信する工程（ステップＳ１５）を行う。
このとき、複数の端末機２が、それぞれ投稿情報を受信する。
前記端末機２がサーバ３から送信される投稿情報を受信する工程（ステップＳ１５）を行った後、ステップＳ１６に移行する。
【００６０】
次に、端末機２がそのモニタに投稿情報を表示する工程（ステップＳ１６）を行う。
このとき、複数の端末機２は、それぞれのモニタのメイン画面の投稿情報一覧表示部５０、または、投稿内容画面の投稿内容部６０、に投稿情報を表示する。
【００６１】
以上のようにして、投稿評価システム１を用いた投稿情報を評価する方法では、端末機２がサーバ３に投稿情報を送信して、端末機２がそのモニタに投稿情報を表示する動作を行う。
【００６２】
次に、投稿評価システム１を用いた投稿情報を評価する方法において、端末機２がサーバ３に評価情報を送信してから、端末機２がそのモニタに評価情報を表示する一連の動作について、図７を用いて説明する。
【００６３】
図７に示すように、投稿評価システム１の端末機２が評価情報をサーバ３に送信する工程（ステップＳ２１）を行う。
このとき、複数の端末機２のうち一つの端末機２におけるモニタの投稿内容画面の評価判定部６１において、端末機２の使用者が、「投稿（発信）は○」、「内容が○」、「内容が不十分」、「内容がおかしい」、または、「事象は×」、の各項目のうち一つまたは複数の項目を選択し、「判定」６１ａを選択すると、端末機２が、前記選択した項目の内容で前記投稿情報に関する評価情報をサーバ３に送信する。
前記端末機２が評価情報をサーバ３に送信する工程（ステップＳ２１）を行った後、ステップＳ２２に移行する。
【００６４】
次に、サーバ３が端末機２から送信される評価情報を受信する工程（ステップＳ２２）を行う。
前記サーバ３が端末機２から送信される評価情報を受信する工程（ステップＳ２２）を行った後、ステップＳ２３に移行する。
【００６５】
次に、サーバ３の情報処理部３０が、受信した評価情報と、評価情報記憶部３２に既に記憶されている評価情報と、を集計する工程（ステップＳ２３）を行う。
このとき、サーバ３の情報処理部３０は、受信した評価情報と、評価情報記憶部３２に既に記憶されている評価情報とを、「投稿（発信）は○」、「内容が○」、「内容が不十分」、「内容がおかしい」、または、「事象は×」、の各項目毎に、評価数を集計する処理を行う。
前記サーバ３の情報処理部３０が、受信した評価情報と、評価情報記憶部３２に既に記憶されている評価情報と、を集計する工程（ステップＳ２３）を行った後、ステップＳ２４に移行する。
【００６６】
次に、サーバ３の情報処理部３０が集計する処理を行った評価情報を、評価情報記憶部３２に記憶する工程（ステップＳ２４）を行う。
このようにして、サーバ３の情報処理部３０が集計する処理を行う毎に評価情報記憶部３２に記憶される評価情報を更新する。
前記サーバ３の情報処理部３０が集計する処理を行った評価情報を評価情報記憶部３２に記憶する工程（ステップＳ２４）行った後、ステップＳ２５に移行する。
【００６７】
次に、サーバ３の評価情報記憶部３２に記憶される評価情報を端末機２に送信する工程（ステップＳ２５）を行う。
このとき、サーバ３は、評価情報記憶部３２に記憶される評価情報を複数の端末機２のそれぞれに送信する。
前記サーバ３が評価情報記憶部３２に記憶される評価情報を端末機２に送信する工程（ステップＳ２５）を行った後、ステップＳ２６に移行する。
【００６８】
次に、端末機２がサーバ３から送信される評価情報を受信する工程（ステップＳ２６）を行う。
このとき、複数の端末機２が、評価情報をそれぞれ受信する。
前記端末機２がサーバ３から送信される評価情報を受信する工程（ステップＳ２６）を行った後、ステップＳ２７に移行する。
【００６９】
次に、端末機２がそのモニタに評価情報を表示する工程（ステップＳ２７）を行う。
このとき、複数の端末機２は、それぞれのモニタのメイン画面の投稿情報一覧表示部５０に評価情報を表示する。
【００７０】
以上のようにして、投稿評価システム１を用いた投稿情報を評価する方法では、端末機２がサーバ３に評価情報を送信して、端末機２がそのモニタに評価情報を表示する動作を行う。
【００７１】
次に、投稿評価システム１を用いた投稿情報を評価する方法において、サーバ３の情報処理部３０が読了率情報を生成して、端末機２がそのモニタに読了率情報を表示する一連の動作について、図８を用いて説明する。
【００７２】
図８に示すように、投稿評価システム１の端末機２の情報処理部２０が、端末機２の使用者が選択した投稿情報が未読であるか否かについて判定する工程（ステップＳ３１）を行う。
このとき、端末機２の情報処理部２０は、メイン画面の投稿情報一覧表示部５０に表示される投稿情報の「投稿番号」のうち端末機２の使用者が選択した「投稿番号」の投稿情報と端末機２の既読情報記憶部２１の既読情報とを参照して、端末機２の使用者が選択した「投稿番号」の投稿情報が未読であるか否かについて判定を行う。
端末機２の情報処理部２０が端末機２の使用者が選択した投稿情報（端末機２の使用者が選択した「投稿番号」の投稿情報）が未読であると判定した場合には、ステップ３２に移行する。
端末機２の情報処理部２０が端末機２の使用者が選択した投稿情報（端末機２の使用者が選択した「投稿番号」の投稿情報）が既読であると判定した場合には、動作を終了する。
【００７３】
次に、端末機２が既読情報をサーバ３に送信する工程（ステップＳ３２）を行う。
前記端末機２が既読情報をサーバ３に送信する工程（ステップＳ３２）を行った後、ステップＳ３３に移行する。
【００７４】
次に、サーバ３が端末機２から送信される既読情報を受信する工程（ステップＳ３３）を行う。
前記サーバ３が端末機２から送信される既読情報を受信する工程（ステップＳ３３）を行った後、ステップＳ３４に移行する。
【００７５】
次に、サーバ３の情報処理部３０が、受信した既読情報と、既読情報記憶部３３に既に記憶されている端末機２の使用者の既読情報と、から、読了率情報を生成する工程（ステップＳ３４）を行う。
前記サーバ３の情報処理部３０が、受信した既読情報と、既読情報記憶部３３に既に記憶されている端末機２の使用者の既読情報と、から、読了率情報を生成する工程（ステップＳ３４）を行った後、ステップＳ３５に移行する。
【００７６】
次に、サーバ３が、情報処理部３０が生成した読了率情報を、読了率情報記憶部３４に記憶する工程（ステップＳ３５）を行う。
このようにして、サーバ３は、情報処理部３０が読了率情報を生成する処理を行う毎に読了率情報記憶部３４に記憶される読了率情報を更新する。
前記サーバ３が、情報処理部３０が生成した読了率情報を、読了率情報記憶部３４に記憶する工程（ステップＳ３５）を行った後、ステップＳ３６に移行する。
【００７７】
次に、サーバ３が読了率情報記憶部３４に記憶される読了率情報を端末機２に送信する工程（ステップＳ３６）を行う。
このとき、サーバ３は、読了率情報記憶部３４に記憶される読了率情報を複数の端末機２のそれぞれに送信する。
前記サーバ３が読了率情報記憶部３４に記憶される読了率情報を端末機２に送信する工程（ステップＳ３６）を行った後、ステップＳ３７に移行する。
【００７８】
次に、端末機２がサーバ３から送信される読了率情報を受信する工程（ステップＳ３７）を行う。
このとき、複数の端末機２が、読了率情報をそれぞれ受信する。
前記端末機２がサーバ３から送信される読了率情報を受信する工程（ステップＳ３７）を行った後、ステップＳ３８に移行する。
【００７９】
次に、端末機２がそのモニタに読了率情報を表示する工程（ステップＳ３８）を行う。
このとき、複数の端末機２は、それぞれのメイン画面の読了率情報表示部５１、または、それぞれの投稿内容画面の読了率情報表示部５１に、読了率情報を表示する。
【００８０】
以上のようにして、投稿評価システム１を用いた投稿情報を評価する方法では、サーバ３の情報処理部３０が読了率情報を生成して、端末機２がそのモニタに読了率情報を表示する動作を行う。
【００８１】
次に、投稿評価システム１を用いた投稿情報を評価する方法において、端末機２が重要投稿情報をサーバ３に送信してから、端末機２がそのモニタに投稿情報とともに当該投稿情報が重要投稿である旨をモニタに表示する一連の動作について、図９を用いて説明する。
【００８２】
図９に示すように、投稿評価システム１の端末機２が重要投稿情報をサーバ３に送信する工程（ステップＳ４１）を行う。
このとき、端末機２の使用者が、モニタの投稿内容部６０に表示される投稿情報が重要投稿である場合には、モニタの投稿内容画面の重要投稿選択部６３において、重要の項目を選択し（重要の項目のチェックボックスにチェックを入れ）、「更新」６３ａを選択（クリック）する。
端末機２は、前記モニタの投稿内容画面の重要投稿選択部６３において端末機２の使用者が「更新」６３ａを選択すると、投稿内容部６０に表示される投稿情報に関する重要投稿情報をサーバ３に送信する。
前記投稿評価システム１の端末機２が重要投稿情報をサーバ３に送信する工程（ステップＳ４１）を行った後、ステップＳ４２に移行する。
【００８３】
次に、サーバ３が端末機２から送信される重要投稿情報を受信する工程（ステップＳ４２）を行う。
前記サーバ３が端末機２から送信される重要投稿情報を受信する工程（ステップＳ４２）を行った後、ステップＳ４３に移行する。
【００８４】
次に、サーバ３が受信した重要投稿情報を重要投稿情報記憶３６に記憶する工程（ステップＳ４３）を行う。
このとき、サーバ３は、その情報処理部３０によって端末機２のモニタの投稿内容画面の重要投稿選択部６３において重要の項目を選択された投稿情報と関連付けて、重要投稿情報記憶部３６に重要投稿情報を記憶する。
前記サーバ３が受信した重要投稿情報を重要投稿情報記憶３６に記憶する工程（ステップＳ４３）を行った後、ステップＳ４４に移行する。
【００８５】
次に、サーバ３が、投稿情報記憶部３１に記憶される投稿情報とともに、重要投稿情報記憶部３６に記憶される重要投稿情報を、端末機２に送信する工程（ステップＳ４４）を行う。
このとき、サーバ３は、投稿情報記憶部３１に記憶される投稿情報とともに、重要投稿情報記憶部３６に記憶される重要投稿情報を、複数の端末機２のそれぞれに送信する。
サーバ３が、投稿情報記憶部３１に記憶される投稿情報とともに、重要投稿情報記憶部３６に記憶される重要投稿情報を、端末機２に送信する工程（ステップＳ４４）を行った後、ステップＳ４５に移行する。
【００８６】
次に、端末機２が、サーバ３から送信される投稿情報とともに重要投稿情報を受信する工程（ステップＳ４５）を行う。
このとき、端末機２が、サーバ３から送信される投稿情報とともに重要投稿情報を受信する工程（ステップＳ４５）を行った後、ステップＳ４６に移行する。
【００８７】
次に、端末機２の情報処理部２０が、受信した前記受信した投稿情報と重要投稿情報を参照して、当該投稿情報が重要投稿であるか否かについて判断する工程（ステップＳ４６）を行う。
端末機２の情報処理部２０が、投稿情報が重要投稿であると判断した場合には、ステップＳ４７に移行する。
端末機２の情報処理部２０が、投稿情報が重要投稿でないと判断した場合には、ステップＳ４８に移行する。
【００８８】
次に、ステップＳ４６において投稿情報が重要投稿であると端末機２の情報処理部２０が判断した場合には、端末機２は、投稿情報とともに当該投稿情報が重要投稿である旨をモニタに表示する工程（ステップＳ４７）を行う。
【００８９】
次に、ステップＳ４６において投稿情報が重要投稿でないと端末機２の情報処理部２０が判断した場合には、端末機２は、当該投稿情報が重要投稿である旨を表示せずに投稿情報をモニタに表示する工程（ステップＳ４８）を行う。
【００９０】
以上のようにして、端末機２が重要投稿情報をサーバ３に送信してから、端末機２がそのモニタに投稿情報とともに当該投稿情報が重要投稿である旨をモニタに表示する動作を行う。
【００９１】
なお、投稿評価システム１を用いた投稿情報を評価する方法を、コンピュータに実行させるプログラムとして提供することもできる。
【００９２】
次に、本発明の第二実施形態に係る投稿評価システム１について、図１０から図１５を用いて説明する。
なお、第二実施形態に係る投稿評価システム１の説明は、第一実施形態に係る投稿評価システム１と同様の構成の部分については適宜省略し、第一実施形態に係る投稿評価システム１の構成と異なる部分を中心に説明する。
【００９３】
投稿評価システム１は、通信ネットワーク４を介して、ＩＤ登録を受けている端末機２の使用者から、投稿情報を受付け、また、投稿情報についての評価情報を受付けることに加えて、ミーティング報告情報を受付けるように構成される。
投稿評価システム１では、複数の部門が設定されるとともに、ＩＤ登録を受けている端末機２の使用者が前記複数の部門のうち少なくとも一つの部門に所属するように設定されている。
【００９４】
投稿評価システム１におけるサーバ３は、図１０に示すように、情報処理部３０と、投稿情報記憶部３１と、評価情報記憶部３２と、既読情報記憶部３３と、読了率情報記憶部３４と、ＩＤ情報記憶部３５と、重要投稿情報記憶部３６と、ミーティング報告情報記憶部３７と、ミーティング実施情報記憶部３８と、部門情報記憶部３９と、を備える。
サーバ３のミーティング報告情報記憶部３７は、ミーティング報告情報を記憶するように構成される。
サーバ３のミーティング実施情報記憶部３８は、ミーティング実施情報を記憶するように構成される。
サーバ３の部門情報記憶部３９は、部門情報が予め記憶されて構成される。
【００９５】
ここで、ミーティング報告情報とは、複数の部門毎に行われるミーティングの報告に関する情報である。ミーティング報告情報は、ミーティングが行われる部門に所属する端末機２の使用者が当該端末機２を操作することによって入力される。
ミーティング実施情報とは、部門毎において実施されたミーティングの日時および回数に関する情報である。
部門情報とは、端末機２の使用者の属する部門に関する情報である。
【００９６】
投稿評価システム１における複数の端末機２は、ミーティングが行われる部門に所属する端末機２の使用者にそれぞれ操作されることによって、ミーティング報告情報をサーバ３に送信するように構成される。
サーバ３は、複数の端末機２から送信されるミーティング報告情報を受信するように構成される。サーバ３は、受信したミーティング報告情報を、端末機２の使用者の属する部門毎に、関連付けてミーティング報告情報記憶部３７に記憶するように構成される。
【００９７】
サーバ３は、その情報処理部３０が、端末機２から送信されるミーティング報告情報（受信したミーティング報告情報）と、ミーティング報告情報記憶部３７に既に記憶されているミーティング報告情報と、から、端末機２の使用者の属する部門毎に端末機２の使用者の属する部門毎にミーティング実施情報を生成する処理を行うように構成される。サーバ３は、その情報処理部３０が、端末機２から送信されるミーティング報告情報と、ミーティング報告情報記憶部３７に既に記憶されているミーティング報告情報と、におけるそれぞれの実施されたミーティングの日時および回数に関する情報を元に、ミーティング実施情報を生成する処理を行うように構成される。
サーバ３は、情報処理部３０によってミーティング実施情報を生成する処理が行われる毎に、ミーティング実施情報記憶部３８に記憶されるミーティング実施情報が更新されるように構成される。
【００９８】
サーバ３は、ミーティング報告情報記憶部３７に記憶されるミーティング報告情報、または、ミーティング実施情報記憶部３８に記憶されるミーティング実施情報、を、複数の端末機２のそれぞれに送信するように構成される。
複数の端末機２は、サーバ３から送信されるミーティング報告情報、または、ミーティング実施情報、を受信するように構成される。複数の端末機２は、ミーティング報告情報、または、ミーティング実施情報、を、それぞれのモニタに表示するように構成される。
【００９９】
端末機２のモニタに表示されるメイン画面は、図１１に示すように、投稿情報一覧表示部５０と、読了率情報表示部５１と、検索部５３と、「新規投稿」５４と、ミーティング実施情報表示部５５と、が表示されるように構成される。
【０１００】
端末機２におけるモニタのメイン画面のミーティング実施情報表示部５５には、部門毎のミーティング実施情報が表示される。
端末機２におけるモニタのメイン画面のミーティング実施情報は、ミーティング実施情報に関する、「ミーティング実施日」、および、「ミーティング回数」で構成される。端末機２におけるモニタのメイン画面のミーティング実施情報の「ミーティング実施日」には、例えば、部門毎に直近で実施したミーティングの実施日が表示される。端末機２におけるモニタのメイン画面のミーティング実施情報の「ミーティング回数」には、例えば、一週間のうちに部門毎に実施したミーティングの実施回数がカッコ内に表示される。
端末機２におけるモニタのメイン画面の読了率情報表示部５１のそれぞれのミーティング実施情報には、「部門名」が並べて表示される。端末機２におけるモニタのメイン画面の読了率情報表示部５１の「部門名」は、部門情報が存在する部門の名前を示す。
投稿評価システム１は、ミーティング実施情報表示部５５のミーティング実施情報が表示される箇所の背景色が、ミーティングの実施状況（実施頻度）に応じて部門毎に色分けされて表示されるように構成される。
【０１０１】
端末機２は、モニタのメイン画面のミーティング実施情報表示部５５の「部門名」の一つを端末機２の使用者が選択（クリック）すると、メイン画面の投稿情報一覧表示部５０に代えて、前記選択した「部門名」の部門に関するミーティング報告情報一覧表示部５６が表示されるように構成される。
端末機２におけるモニタのメイン画面のミーティング報告情報一覧表示部５６には、図１２に示すように、「新規登録」５７と、前記選択した「名前」の部門に関するミーティング報告情報が、表示される。
端末機２におけるモニタのメイン画面のミーティング報告情報一覧表示部５６には、前記選択した「名前」の部門に関するミーティング報告情報が、報告された順に（サーバ３のミーティング報告情報記憶部３７に記憶された順に）新しいものを上から並べて表示される。
端末機２におけるモニタのメイン画面のミーティング報告情報一覧表示部５６に表示されるミーティング報告情報は、当該ミーティング報告情報に関する、「報告番号」、「報告者」、「実施部門」、「実施日」、「実施時間」、「議長名」、「参加者名」、および、「テーマ・感想」で構成される。
【０１０２】
端末機２は、モニタのメイン画面のメイン画面のミーティング報告情報一覧表示部５６の「新規登録」５７を端末機２の使用者が選択（クリック）すると、メイン画面からミーティング報告登録画面に移行するように構成される。
【０１０３】
端末機２におけるモニタのミーティング報告登録画面は、図１３に示すように、「報告者」、「実施部門」、「実施時間」、「議長名」、「参加者名」、および、「テーマ・感想」の各欄と、「登録」８０と、が表示されるように構成される。
端末機２は、モニタの新規投稿画面の「報告者」の各欄に端末機２の使用者の名前が、それぞれ自動的に入力されるように構成される。
端末機２は、モニタの新規投稿画面の「実施部門」、「実施時間」、「議長名」、「参加者名」、および、「テーマ・感想」の各欄に、端末機２の使用者が端末機２を操作して情報を入力できるように構成される。
端末機２は、モニタの新規投稿画面のモニタの新規投稿画面の「実施部門」、「実施時間」、「議長名」、「参加者名」、および、「テーマ・感想」の各欄に情報が入力された状態で、端末機２の使用者が「登録」８０を選択（クリック）すると、前記「実施部門」、「実施時間」、「議長名」、「参加者名」、および、「テーマ・感想」の各欄に入力された内容をミーティング報告情報として、当該ミーティング報告情報をサーバ３に送信するように構成される。
【０１０４】
投稿評価システム１は、前記更新されたミーティング報告情報が複数の端末機２に送信されて、当該複数の端末機２のそれぞれのモニタにミーティング報告情報が表示されるように構成される。
このため、投稿評価システム１では、端末機２の使用者は、操作する端末機２のモニタを見れば、属する部門以外のミーティング報告情報を読むことができる。
【０１０５】
投稿評価システム１は、端末機２から送信されるミーティング報告情報とミーティング報告情報記憶部３７に既に記憶されているミーティング報告情報とからミーティング実施情報情報を生成する処理がサーバ３の情報処理部３０によって行われる毎に、ミーティング実施情報記憶部３８に記憶されるミーティング実施情報が更新されるように構成される。
投稿評価システム１は、前記更新されたミーティング実施情報が複数の端末機２に送信されて、当該複数の端末機２のそれぞれのモニタにミーティング実施情報が表示されるように構成される。
このため、投稿評価システム１では、複数の端末機２の使用者は、操作する端末機２のモニタを見れば、属する部門以外のミーティング実施情報を把握することができる。
【０１０６】
次に、投稿評価システム１を用いた投稿情報を評価する方法において、端末機２がサーバ３にミーティング報告情報を送信してから、端末機２がそのモニタにミーティング報告情報を表示する一連の動作について、図１４を用いて説明する。
【０１０７】
図１４に示すように、投稿評価システム１の端末機２が投稿情報をサーバ３に送信する工程（ステップＳ５１）を行う。
このとき、複数の端末機２のうち一つの端末機２におけるモニタの新規投稿画面の「実施日」、「実施時間」、「議長名」、「参加者名」、および、「テーマ・感想」の各欄に情報が入力された状態で、端末機２の使用者が「登録」８０を選択すると、前記「報告番号」、「報告者」、前記「実施部門」、「実施日」、「実施時間」、「議長名」、「参加者名」、および、「テーマ・感想」の各欄に入力された内容をミーティング報告情報として、当該ミーティング報告情報をサーバ３に送信する。
前記端末機２がミーティング報告情報をサーバ３に送信する工程（ステップＳ５１）を行った後、ステップＳ５２に移行する。
【０１０８】
次に、サーバ３が端末機２から送信されるミーティング報告情報を受信する工程（ステップＳ５２）を行う。
前記サーバ３が端末機２から送信されるミーティング報告情報を受信する工程（ステップＳ５２）を行った後、ステップＳ５３に移行する。
【０１０９】
次に、サーバ３が受信したミーティング報告情報をミーティング報告情報記憶部３７に記憶する工程（ステップＳ５３）を行う。
前記サーバ３が受信したミーティング報告情報をミーティング報告情報記憶部３７に記憶する工程（ステップＳ５３）を行った後、ステップＳ５４に移行する。
【０１１０】
次に、サーバ３がミーティング報告情報記憶部３７に記憶されるミーティング報告情報を端末機２に送信する工程（ステップＳ５４）を行う。
このとき、サーバ３は、ミーティング報告情報記憶部３７に記憶されるミーティング報告情報を複数の端末機２のそれぞれに送信する。
前記サーバ３がミーティング報告情報記憶部３７に記憶されるミーティング報告情報を端末機２に送信する工程（ステップＳ５４）を行った後、ステップＳ５５に移行する。
【０１１１】
次に、端末機２がサーバ３から送信されるミーティング報告情報を受信する工程（ステップＳ５５）を行う。
このとき、複数の端末機２が、それぞれミーティング報告情報を受信する。
前記端末機２がサーバ３から送信されるミーティング報告情報を受信する工程（ステップＳ５５）を行った後、ステップＳ５６に移行する。
【０１１２】
次に、端末機２がそのモニタにミーティング報告情報を表示する工程（ステップＳ５６）を行う。
このとき、複数の端末機２は、それぞれのモニタのメイン画面のミーティング報告情報一覧表示部５６にミーティング報告情報を表示する。
【０１１３】
以上のようにして、投稿評価システム１を用いた投稿情報を評価する方法では、端末機２がサーバ３にミーティング報告情報を送信して、端末機２がそのミーティング報告情報を表示する動作を行う。
【０１１４】
次に、投稿評価システム１を用いた投稿情報を評価する方法において、端末機２がサーバ３にミーティング報告情報を送信してから、端末機２がそのモニタにミーティング実施情報を表示する一連の動作について、図１５を用いて説明する。
【０１１５】
図１５に示すように、投稿評価システム１の端末機２が投稿情報をサーバ３に送信する工程（ステップＳ５１）を行う。
前記端末機２がミーティング報告情報をサーバ３に送信する工程（ステップＳ５１）を行った後、ステップＳ５２に移行する。
【０１１６】
次に、サーバ３が端末機２から送信されるミーティング報告情報を受信する工程（ステップＳ５２）を行う。
前記サーバ３が端末機２から送信されるミーティング報告情報を受信する工程（ステップＳ５２）を行った後、ステップＳ６３に移行する。
【０１１７】
次に、サーバ３の情報処理部３０が、受信したミーティング報告情報と、ミーティング報告情報記憶部３７に既に記憶されているミーティング報告情報と、から、ミーティング実施情報を生成する工程（ステップＳ６３）を行う。
このとき、サーバ３の情報処理部３０は、端末機２から送信されるミーティング報告情報と、ミーティング報告情報記憶部３７に既に記憶されているミーティング報告情報と、におけるそれぞれのミーティングの日時および回数に関する情報を元に、ミーティング実施情報を生成する。
前記サーバ３の情報処理部３０が、受信したミーティング報告情報と、ミーティング報告情報記憶部３７に既に記憶されているミーティング報告情報と、から、ミーティング実施情報を生成する工程（ステップＳ６３）を行った後、ステップＳ６４に移行する。
【０１１８】
次に、サーバ３の情報処理部３０が生成したミーティング実施情報を、ミーティング実施情報記憶部３８に記憶する工程（ステップＳ６４）を行う。
このようにして、サーバ３は、情報処理部３０がミーティング実施情報を生成する処理を行う毎にミーティング実施情報記憶部３８に記憶されるミーティング実施情報を更新する。
前記サーバ３の情報処理部３０が生成したミーティング実施情報を、ミーティング実施情報記憶部３８に記憶する工程（ステップＳ６４）を行った後、ステップＳ６５に移行する。
【０１１９】
次に、サーバ３がミーティング実施情報記憶部３８に記憶されるミーティング実施情報を端末機２に送信する工程（ステップＳ６５）を行う。
このとき、サーバ３は、ミーティング実施情報記憶部３８に記憶されるミーティング実施情報を複数の端末機２のそれぞれに送信する。
前記サーバ３がミーティング実施情報記憶部３８に記憶されるミーティング実施情報を端末機２に送信する工程（ステップＳ６５）を行った後、ステップＳ６６に移行する。
【０１２０】
次に、端末機２がサーバ３から送信されるミーティング実施情報を受信する工程（ステップＳ６６）を行う。
このとき、複数の端末機２が、ミーティング実施情報をそれぞれ受信する。
前記端末機２がサーバ３から送信されるミーティング実施情報を受信する工程（ステップＳ６６）を行った後、ステップＳ６７に移行する。
【０１２１】
次に、端末機２がそのモニタにミーティング実施情報を表示する工程（ステップＳ６７）を行う。
このとき、複数の端末機２は、それぞれのメイン画面のミーティング実施情報表示部５５に、ミーティング実施情報を表示する。
【０１２２】
以上のようにして、投稿評価システム１を用いた投稿情報を評価する方法では、端末機２がサーバ３にミーティング報告情報を送信して、端末機２がそのモニタにミーティング実施情報を表示する動作を行う。
【０１２３】
次に、本発明の第三実施形態に係る投稿評価システム１について、図１６から図２３を用いて説明する。
なお、第三実施形態に係る投稿評価システム１の説明は、第一実施形態または第二実施形態に係る投稿評価システム１と同様の構成の部分については適宜省略し、第一実施形態または第二実施形態に係る投稿評価システム１の構成と異なる部分を中心に説明する。
【０１２４】
投稿評価システム１は、通信ネットワーク４を介して、ＩＤ登録を受けている端末機２の使用者から、投稿情報を受付け、投稿情報についての評価情報を受付け、また、ミーティング報告情報を受付けることに加えて、課題指示をする課題指示付きの投稿情報を受付け、課題指示付きの投稿情報の課題内容が反映される課題分担スケジュール情報をモニタに表示し、また、課題分担スケジュール情報の更新を受付けるように構成される。
【０１２５】
投稿評価システム１におけるサーバ３は、図１６に示すように、情報処理部３０と、投稿情報記憶部３１と、評価情報記憶部３２と、既読情報記憶部３３と、読了率情報記憶部３４と、ＩＤ情報記憶部３５と、重要投稿情報記憶部３６と、ミーティング報告情報記憶部３７と、ミーティング実施情報記憶部３８と、部門情報記憶部３９と、課題分担スケジュール情報記憶部４０と、を備える。
サーバ３の課題分担スケジュール情報記憶部４０は、課題分担スケジュール情報を記憶するように構成される。
【０１２６】
ここで、課題管理情報とは、課題指示付きの投稿情報に示されたスケジュールを伴う一つの課題に関する情報である。課題管理情報は、端末機２の使用者が当該端末機２を操作することによって、課題指示付きの投稿情報の課題内容が反映されるように入力される。
課題分担スケジュール情報とは、課題指示付きの投稿情報に示された一つの課題毎の、課題を実行するスケジュール、および、課題を実行する者（端末機２の使用者）等、に関する情報である。課題分担スケジュール情報は、課題指示付きの投稿情報の課題内容が反映されるように課題管理情報から生成される。
【０１２７】
投稿評価システム１における複数の端末機２は、端末機２の使用者にそれぞれ操作されることによって、課題管理情報をサーバ３に送信するように構成される。
サーバ３は、複数の端末機２から送信される課題管理情報を受信するように構成される。サーバ３は、その情報処理部３０が、前記受信した課題管理情報から当該課題管理情報毎に課題分担スケジュール情報を生成する処理を行うように構成される。
【０１２８】
サーバ３は、課題分担スケジュール情報記憶部４０に記憶される課題分担スケジュール情報を、複数の端末機２のそれぞれに送信するように構成される。
複数の端末機２は、サーバ３から送信される課題分担スケジュール情報を受信するように構成される。複数の端末機２は、課題分担スケジュール情報をそれぞれのモニタに表示するように構成される。
【０１２９】
投稿評価システム１における複数の端末機２は、端末機２の使用者にそれぞれ操作されることによって、モニタに表示した課題分担スケジュール情報を更新するために、課題分担スケジュール情報をサーバ３に送信するように構成される。
サーバ３は、複数の端末機２から送信される課題分担スケジュール情報を受信するように構成される。
サーバ３は、課題分担スケジュール情報記憶部４０に既に記憶されている課題分担スケジュール情報に代えて、端末機２から送信される課題分担スケジュール情報（受信した課題分担スケジュール情報）を、課題分担スケジュール情報記憶部４０に記憶する処理を行うように構成される。
サーバ３は、前記課題分担スケジュール情報記憶部４０に既に記憶されている課題分担スケジュール情報に代えて、端末機２から送信される課題分担スケジュール情報（受信した課題分担スケジュール情報）を、課題分担スケジュール情報記憶部４０に記憶する処理が行われる毎に、課題分担スケジュール情報記憶部４０に記憶される課題分担スケジュール情報が更新されるように構成される。
【０１３０】
端末機２のモニタに表示されるメイン画面は、図１７に示すように、投稿情報一覧表示部５０と、読了率情報表示部５１と、検索部５３と、「新規投稿」５４と、ミーティング実施情報表示部５５と、「課題管理」５８と、が表示されるように構成される。
端末機２は、モニタのメイン画面の「課題管理」５８を端末機２の使用者が選択（クリック）すると、メイン画面から課題管理画面に移行するように構成される。
【０１３１】
端末機２は、モニタのメイン画面の投稿情報一覧表示部５０または投稿内容画面に表示される投稿情報が課題指示付きのものである場合には、当該投稿情報が課題指示付きである旨が表示される。端末機２は、モニタのメイン画面の投稿情報一覧表示部５０または投稿内容画面に表示される投稿情報が課題指示付きのものである場合には、当該投稿情報が課題指示付きである旨をモニタに表示するように構成される。例えば、端末機２は、投稿情報が課題指示付きのものである場合には、モニタのメイン画面の投稿情報一覧表示部５０または投稿内容画面に表示される投稿情報の「投稿番号」の横に、「Ｓ」が表示されるように構成される。
【０１３２】
端末機２におけるモニタの投稿内容画面の投稿内容部６０に表示される課題指示付きの投稿情報は、その「投稿文」に、課題指示（課題内容、および、課題を実行するケジュール等）が記載される。
【０１３３】
端末機２におけるモニタの新規投稿画面は、図１８に示すように、「投稿者」、「タイトル」、および、「内容」の各欄と、「投稿」７０とに加えて、課題分担ＳＫチェックボックス部７１と、が表示されるように構成される。
端末機２は、端末機２におけるモニタの新規投稿画面は、モニタの新規投稿画面の「投稿者」、「タイトル」、および、「内容」の各欄に情報が入力された状態で、且つ、端末機２の使用者が端末機２を操作して課題分担ＳＫチェックボックス部７１のチェックボックスにチェックを入力して、端末機２の使用者が「投稿」７０を選択すると、課題指示付きの投稿情報として当該投稿情報をサーバ３に送信するように構成される。
【０１３４】
また、端末機２におけるモニタの新規投稿画面は、課題分担ＳＫチェックボックス部７１のチェックボックスにチェックが入力されると、課題管理部７２が表示されるように構成される。
端末機２におけるモニタの新規投稿画面の課題管理部７２は、課題管理情報をサーバ３に送信する際に用いられるものである。
端末機２におけるモニタの新規投稿画面の課題管理部７２は、「ジャンル」、「課題名」、および、「期限日」の各欄、が表示されるように構成される。端末機２におけるモニタの新規投稿画面の課題管理部７２は、「ジャンル」、「課題名」、および、「期限日」の各欄には、課題指示付きの投稿情報の課題内容が反映されるように、端末機２の使用者が、入力する。
端末機２は、モニタの新規投稿画面の課題管理部７２の「ジャンル」、「課題名」、および、「期限日」の各欄に情報が入力された状態で、端末機２の使用者が「投稿」７０を選択すると、課題指示付きの投稿情報とともに、前記「ジャンル」、「課題名」、および、「期限日」の各欄に入力された情報（内容）を課題管理情報として、当該課題管情報をサーバ３に送信するように構成される。
【０１３５】
端末機２は、図１９に示すように、モニタのメイン画面のミーティング報告情報一覧表示部５６に、「課題分担ＳＫ表」５９が表示されるように構成される。
端末機２は、モニタのメイン画面の、「課題分担ＳＫ表」５９を端末機２の使用者が選択（クリック）すると、メイン画面から課題分担スケジュール画面に移行するように構成される。
【０１３６】
端末機２におけるモニタの課題管理画面は、図２０に示すように、端末機２の使用者が当該端末機２を操作することによって、課題指示付きの投稿情報の課題内容が反映されるように入力して、課題管理情報をサーバ３に送信するためのものである。端末機２におけるモニタの課題管理画面では、例えば、課題指示付きの投稿情報を投稿した端末機２の使用者、または、課題指示付きの投稿情報を読んだ端末機２の使用者によって入力される。
端末機２におけるモニタの課題管理画面は、「ジャンル」、「投稿番号」、「課題名」、および、「期限日」の各欄と、「登録」８１と、が表示されるように構成される。端末機２におけるモニタの課題管理画面は、「ジャンル」、「課題名」、および、「期限日」の各欄には、課題指示付きの投稿情報の課題内容が反映されるように、端末機２の使用者が、入力する。端末機２におけるモニタの課題管理画面の「投稿番号」には、端末機２の使用者が、課題指示付きの投稿情報の「投稿番号」を入力する。
端末機２は、モニタの課題管理画面の「ジャンル」、「投稿番号」、「課題名」、および、「期限日」の各欄に情報が入力された状態で、端末機２の使用者が「登録」８１を選択（クリック）すると、前記「ジャンル」、「投稿番号」、「課題名」、および、「期限日」の各欄に入力された情報（内容）を課題管理情報として、当該課題管情報をサーバ３に送信するように構成される。
【０１３７】
端末機２におけるモニタの課題分担スケジュール画面には、課題指示付きの投稿情報の課題内容が反映された課題分担スケジュール情報が表示される。端末機２におけるモニタの課題分担スケジュール画面に表示される課題分担スケジュール情報は、図２１に示すように、一つの課題毎に、「課題番号」、「投稿番号」と、「課題名」と、「担当」と、「スケジュール」欄と、を表にして構成される。
端末機２は、モニタの課題分担スケジュール画面における課題分担スケジュール情報の「スケジュール」欄には、一つの課題毎に、日程毎の「内容」欄が表示されるように構成される。端末機２は、モニタの課題分担スケジュール画面における課題分担スケジュール情報の「スケジュール」欄における「内容」欄には、課題を実行する者の名前や課題を実行する手順等が表示されるように構成される。
端末機２は、モニタの課題分担スケジュール画面に表示される課題分担スケジュール情報の「スケジュール」欄における当該課題の期限日に相当する「内容」欄が他の「内容」欄と異なる色で表示されるように構成される。
【０１３８】
端末機２は、モニタの課題分担スケジュール画面に表示される課題分担スケジュール情報の「課題番号」を端末機２の使用者が選択（クリック）すると、課題分担スケジュール画面から課題分担スケジュール登録画面に移行するように構成される。
端末機２は、モニタの課題分担スケジュール画面に表示される課題分担スケジュール情報の「投稿番号」を端末機２の使用者が選択（クリック）すると、課題分担スケジュール画面から当該「投稿番号」の投稿情報（課題指示付きの投稿情報）についての投稿内容画面に移行するように構成される。
【０１３９】
端末機２におけるモニタの課題分担スケジュール登録画面には、課題分担スケジュール情報が表示される。端末機２におけるモニタの課題分担スケジュール登録画面に表示される課題分担スケジュール情報は、図２２に示すように、一つの課題についての、「投稿番号」と、「課題名」と、「スケジュール」欄と、「担当の入力」欄と、「更新」９０と、で構成される。
端末機２は、端末機２の使用者が、モニタの課題分担スケジュール登録画面の「担当の入力」欄に課題の担当者名（管理担当者名）を入力し、「スケジュール」欄の少なくとも一つの「内容」に課題を実行する者の名前や課題を実行する手順等を入力した状態で、「更新」９０を選択（クリック）すると、当該入力された内容が反映された課題分担スケジュール情報として、当該課題分担スケジュール情報をサーバ３に送信するように構成される。
このようにして、投稿評価システム１は、課題分担スケジュール情報を課題の担当者名や課題を実行する者の名前や課題を実行する手順等が反映されたものに更新するにあたって、当該更新する内容が反映された課題分担スケジュール情報をサーバ３に送信するように構成される。
そして、サーバ３は、複数の端末機２から送信される課題分担スケジュール情報を受信するように構成される。サーバ３は、課題分担スケジュール情報記憶部４０に既に記憶されている課題分担スケジュール情報に代えて、端末機２から送信される課題分担スケジュール情報（受信した課題分担スケジュール情報）を、課題分担スケジュール情報記憶部４０に記憶する処理を行うように構成される。
【０１４０】
以上のようにして、投稿評価システム１は、課題指示付きの投稿情報、および、課題指示付きの投稿情報の課題内容が反映される課題分担スケジュール情報を、端末機２のモニタに表示し、また、課題分担スケジュール情報の更新を受付けるように構成される。
このため、投稿評価システム１によれば、端末機２の使用者が、モニタを見れば、課題指示付きの投稿情報、課題指示付きの投稿情報の課題内容が反映される課題分担スケジュール情報（投稿情報で指示された課題を実行するスケジュール、および、課題を実行する者等）を把握することができ、また、課題を実行する者の分担作業も容易に行うことができる。
【０１４１】
次に、投稿評価システム１を用いた投稿情報を評価する方法において、端末機２がサーバ３に課題管理情報を送信してから、端末機２がそのモニタに課題分担スケジュール情報を表示する一連の動作について、図２３を用いて説明する。
【０１４２】
図２３に示すように、投稿評価システム１の端末機２が課題管理情報をサーバ３に送信する工程（ステップＳ７１）を行う。
このとき、複数の端末機２のうち一つの端末機２におけるモニタの端末機２は、モニタの新規投稿画面の課題管理部７２の「ジャンル」、「課題名」、および、「期限日」の各欄に情報が入力された状態で、端末機２の使用者が「投稿」７０を選択すると、前記「ジャンル」、「課題名」、および、「期限日」の各欄に入力された情報（内容）を課題管理情報として、当該課題管情報をサーバ３に送信する。
また、複数の端末機２のうち一つの端末機２におけるモニタの端末機２は、モニタの課題管理画面の「ジャンル」、「投稿番号」、「課題名」、および、「期限日」の各欄に情報が入力された状態で、端末機２の使用者が「登録」８１を選択すると、前記「ジャンル」、「投稿番号」、「課題名」、および、「期限日」の各欄に入力された情報（内容）を課題管理情報として、当該課題管情報をサーバ３に送信する。
前記端末機２が課題管理情報をサーバ３に送信する工程（ステップＳ７１）を行った後、ステップＳ７２に移行する。
【０１４３】
次に、サーバ３が端末機２から送信される課題管理情報を受信する工程（ステップＳ７２）を行う。
前記サーバ３が端末機２から送信される課題管理情報を受信する工程（ステップＳ７２）を行った後、ステップＳ７３に移行する。
【０１４４】
次に、サーバ３の情報処理部３０が、課題管理情報から、当該課題管理情報毎に課題分担スケジュール情報を生成する工程（ステップＳ７３）を行う。
前記サーバ３の情報処理部３０が、課題管理情報から、当該課題管理情報毎に課題分担スケジュール情報を生成する工程（ステップＳ７３）を行った後、ステップＳ７４に移行する。
【０１４５】
次に、サーバ３が課題分担スケジュール情報を課題分担スケジュール情報記憶部４０に記憶する工程（ステップＳ７４）を行う。
前記サーバ３が課題分担スケジュール情報を課題分担スケジュール情報記憶部４０に記憶する工程（ステップＳ７４）を行った後、ステップＳ７５に移行する。
【０１４６】
次に、サーバ３が課題分担スケジュール情報記憶部４０に記憶される課題分担スケジュール情報を端末機２に送信する工程（ステップＳ７５）を行う。
このとき、サーバ３は、課題分担スケジュール情報記憶部４０に記憶される課題分担スケジュール情報を複数の端末機２のそれぞれに送信する。
前記サーバ３が課題分担スケジュール情報記憶部４０に記憶される課題分担スケジュール情報を端末機２に送信する工程（ステップＳ７５）を行った後、ステップＳ７６に移行する。
【０１４７】
次に、端末機２がサーバ３から送信される課題分担スケジュール情報を受信する工程（ステップＳ７６）を行う。
このとき、複数の端末機２が、課題分担スケジュール情報をそれぞれ受信する。
前記端末機２がサーバ３から送信される課題分担スケジュール情報を受信する工程（ステップＳ７６）を行った後、ステップＳ７７に移行する。
【０１４８】
次に、端末機２がそのモニタに課題分担スケジュール情報を表示する工程（ステップＳ７７）を行う。
このとき、複数の端末機２は、それぞれの課題分担スケジュール画面、または、課題分担スケジュール登録画面に、課題分担スケジュール情報を表示する。
前記端末機２がそのモニタに課題分担スケジュール情報を表示する工程（ステップＳ７７）を行った後、ステップＳ７８に移行する。
【０１４９】
次に、端末機２は、課題分担スケジュール情報を課題の担当者名や課題を実行する者の名前や課題を実行する手順等の内容が反映されたものに更新するにあたって、当該更新する内容が反映された課題分担スケジュール情報をサーバ３に送信する工程（ステップＳ７８）を行う。
このとき、端末機２は、端末機２の使用者によってモニタの課題分担スケジュール登録画面の「担当の入力」欄に課題の担当者名（管理担当者名）が入力され、「スケジュール」欄の少なくとも一つの「内容」に課題を実行する者の名前や課題を実行する手順等が入力された状態で、「更新」９０が選択（クリック）されると、当該入力された内容が反映された課題分担スケジュール情報として、当該課題分担スケジュール情報をサーバ３に送信する。
前記端末機２の担当者名が反映された課題分担スケジュール情報をサーバ３に送信する工程（ステップＳ７８）を行った後、ステップＳ７９に移行する。
端末機２の使用者によって課題分担スケジュール情報が課題の担当者名や課題を実行する者の名前や課題を実行する手順等が反映されたものに更新されない場合には、課題分担スケジュール情報をサーバ３に送信せずに動作を終了する（ステップＳ７８）。
【０１５０】
次に、サーバ３が、担当者名が反映された課題分担スケジュール情報を受信する工程（ステップＳ７９）を行う。
前記サーバ３が、担当者名が反映された課題分担スケジュール情報を受信する工程（ステップＳ７９）を行った後、ステップＳ７４に移行する。
【０１５１】
そして、ステップＳ７４では、サーバ３が、課題分担スケジュール情報記憶部４０に既に記憶されている課題分担スケジュール情報に代えて、端末機２から送信される担当者名が反映された課題分担スケジュール情報（受信した課題分担スケジュール情報）を、課題分担スケジュール情報記憶部４０に記憶する処理を行う。
このようにして、サーバ３は、前記課題分担スケジュール情報記憶部４０に既に記憶されている課題分担スケジュール情報に代えて、課題分担スケジュール情報を課題の担当者名や課題を実行する者の名前や課題を実行する手順等が反映された課題分担スケジュール情報を、課題分担スケジュール情報記憶部４０に記憶する処理を行う毎に、課題分担スケジュール情報記憶部４０に記憶される課題分担スケジュール情報を更新する。
【０１５２】
以上のようにして、投稿評価システム１を用いた投稿情報を評価する方法では、端末機２がサーバ３に課題管理情報を送信してから、端末機２がそのモニタに課題分担スケジュール情報を表示する動作を行う。
【０１５３】
次に、本発明の第四実施形態に係る投稿評価システム１について、図２４から図２９を用いて説明する。
なお、第四実施形態に係る投稿評価システム１の説明は、第一実施形態、第二実施形態、または、第三実施形態に係る投稿評価システム１と同様の構成の部分については適宜省略し、第一実施形態、第二実施形態、または、第三実施形態に係る投稿評価システム１の構成と異なる部分を中心に説明する。
【０１５４】
投稿評価システム１は、通信ネットワーク４を介して、ＩＤ登録を受けている端末機２の使用者から、投稿情報を受付け、投稿情報についての評価情報を受付け、ミーティング報告情報を受付け、課題指示をする課題指示付きの投稿情報を受付け、課題分担スケジュール情報の更新を受付けることに加えて、要返信情報を受付け、また、返信情報を受付けるように構成される。
【０１５５】
投稿評価システム１におけるサーバ３は、図２４に示すように、情報処理部３０と、投稿情報記憶部３１と、評価情報記憶部３２と、既読情報記憶部３３と、読了率情報記憶部３４と、ＩＤ情報記憶部３５と、重要投稿情報記憶部３６と、ミーティング報告情報記憶部３７と、ミーティング実施情報記憶部３８と、部門情報記憶部３９と、課題分担スケジュール情報記憶部４０と、返信状況情報記憶部４１と、を備える。
サーバ３の返信状況情報記憶部４１は、返信状況情報を記憶するように構成される。
【０１５６】
ここで、要返信情報とは、一つの投稿情報についての返信の要否に関する情報である。
返信情報とは、投稿情報について返信が有ったことに関する情報である。
返信状況情報とは、要返信情報が関連付けられた投稿情報についての返信状況（返信の有無）に関する情報である。
【０１５７】
投稿評価システム１における複数の端末機２は、端末機２の使用者にそれぞれ操作されることによって、要返信情報、または、返信情報をサーバ３に送信するように構成される。
サーバ３は、複数の端末機２から送信される要返信情報、または、返信情報を受信するように構成される。
サーバ３は、その情報処理部３０が、前記受信した要返信情報から、返信状況情報を生成する処理を行うように構成される。
サーバ３は、その情報処理部３０が、前記受信した返信情報（要返信情報が関連付けられた投稿情報についての返信情報）に基づいて、返信状況情報記憶部４１に既に記憶されている返信状況情報を更新する処理を行うように構成される。
【０１５８】
サーバ３は、投稿情報記憶部３１に記憶される返信状況情報を複数の端末機２のそれぞれに送信するように構成される。
複数の端末機２は、サーバ３から送信される返信状況情報を受信するように構成される。複数の端末機２は、返信状況情報を、それぞれのモニタに表示するように構成される。
【０１５９】
端末機２のモニタに表示されるメイン画面は、図２５に示すように、投稿情報一覧表示部５０と、読了率情報表示部５１と、検索部５３と、「新規投稿」５４と、ミーティング実施情報表示部５５と、「課題管理」５８と、「返信状況」９５と、が表示されるように構成される。
端末機２は、モニタのメイン画面の「返信状況」９５を端末機２の使用者が選択（クリック）すると、メイン画面から返信状況画面に移行するように構成される。
【０１６０】
端末機２におけるモニタの返信状況画面には、図２６に示すように、要返信情報が関連付けられた投稿情報に関する返信状況情報が、当該要返信情報が関連付けられた投稿情報の投稿された順に新しいものを上から並べて表示される。
端末機２におけるモニタの返信状況画面に表示される返信状況情報は、要返信情報が関連付けられた投稿情報毎に「×」または「○」で表示されるように構成される。端末機２におけるモニタの返信状況画面に表示される返信状況情報は、要返信情報が関連付けられた投稿情報に返信が無い場合には「×」で表示され、または、要返信情報が関連付けられた投稿情報に返信が有る場合には「○」で表示される。
端末機２は、モニタの返信状況画面に表示される返信状況情報の投稿情報の「投稿番号」を端末機２の使用者が選択（クリック）すると、返信状況画面から投稿内容画面に移行するように構成される。
【０１６１】
端末機２におけるモニタの新規投稿画面は、図２７に示すように、「投稿者」、「タイトル」、および、「内容」の各欄と、「投稿」７０と、課題分担ＳＫチェックボックス部７１と、に加えて、要返信チェックボックス部７３が表示されるように構成される。
端末機２は、モニタの新規投稿画面の「投稿者」、「タイトル」、および、「内容」の各欄に情報が入力された状態で、且つ、端末機２の使用者が端末機２を操作して要返信チェックボックス部７３のチェックボックスにチェックを入力して、端末機２の使用者が「投稿」７０を選択すると、投稿情報とともに、当該投稿情報に関する要返信情報をサーバ３に送信するように構成される。
端末機２の使用者は、投稿情報が返信を要するものの場合（例えば、投稿情報が、質問に対する回答を要するもの、または、クレームやミスの対応等のものである場合）には、モニタの新規投稿画面の「投稿者」、「タイトル」、および、「内容」の各欄に情報を入力した状態で、要返信チェックボックス部７３のチェックボックスにチェックを入力するようにする。
【０１６２】
端末機２は、端末機２の使用者によって投稿情報について返信が行われる場合には、当該投稿情報に関する返信情報をサーバ３に送信するように構成される。
端末機２は、モニタの投稿内容画面の投稿内容部６０の「返信」６０ａを端末機２の使用者が選択（クリック）してメイン画面から移行した新規投稿画面において、モニタの新規投稿画面の「投稿者」、「タイトル」、および、「内容」の各欄に情報が入力された状態で端末機２の使用者が「投稿」７０を選択すると、投稿情報とともに、当該投稿情報に関する返信情報をサーバ３に送信するように構成される。
【０１６３】
以上のようにして、投稿評価システム１は、要返信情報を受付け、また、返信情報を受付けるように構成される。
このため、投稿評価システム１によれば、端末機２の使用者が、モニタを見れば、投稿情報が返信を要するものであること把握することができる。また、投稿評価システム１によれば、端末機２の使用者が、モニタを見れば、返信を要する投稿情報への返信状況（返信を要する投稿情報に返信がされていないこと）を把握することができる。
したがって、投稿評価システム１によれば、複数の端末機２の使用者が複数の投稿情報の中から返信を要するもの、または、返信を要する投稿情報への返信状況（返信を要する投稿情報に返信がされていないこと）を把握することができるため、返信を要する投稿情報の返信もれを防止することができる。
【０１６４】
また、投稿評価システム１では、端末機２は、モニタの投稿内容画面には、投稿内容部６０に表示される投稿情報が端末機の使用者が投稿したものであって要返信情報が関連付けられたものである場合には、図２８に示すように、投稿内容部６０と評価判定部６１と読了率情報表示部５１とに加えて、返信不要判定部６４が表示されるように構成される。
端末機２におけるモニタの投稿内容画面の返信不要判定部６４は、投稿内容部６０に表示される要返信情報が関連付けられた投稿情報に返信が不要であるか否かを端末機２の使用者が選択するときに用いられるものである。端末機２におけるモニタの投稿内容画面の返信不要判定部６４は、返信不要のチェックボックスと、「更新」６４ａと、で構成される。
【０１６５】
端末機２は、モニタの投稿内容部６０に表示される投稿内容部６０に表示される要返信情報が関連付けられた投稿情報に返信が不要である場合には、端末機２の使用者が、モニタの投稿内容画面の返信不要判定部６４において、返信不要を選択し（返信不要のチェックボックスにチェックを入れ）、「更新」６４ａを選択（クリック）する。前記モニタの投稿内容画面の返信不要判定部６４において端末機２の使用者が「更新」６４ａを選択すると、投稿内容部６０に表示される要返信情報が関連付けられた投稿情報に関する返信不要情報をサーバ３に送信するように構成される。返信不要情報は、端末機２の使用者が端末機２を操作して、要返信情報が関連付けられた投稿情報に関して返信が不要であることが選択された場合に端末機２からサーバ３に送信されるものである。
【０１６６】
サーバ３は、前記端末機２から送信される返信不要情報を受信するように構成される。サーバ３は、情報処理部３０が、前記端末機２から送信される返信不要情報に関する要返信情報が関連付けられた投稿情報についての返信状況情報を、返信状況情報記憶部４１に既に記憶される返信状況情報から削除する処理を行うように構成される。
サーバ３は、前記情報処理部３０によって返信状況情報記憶部４１に既に記憶される返信状況情報から削除する処理が行われる毎に、返信状況情報記憶部４１に記憶される返信状況情報が更新されるように構成される。
【０１６７】
次に、投稿評価システム１を用いた投稿情報を評価する方法において、端末機２がサーバ３に要返信情報を送信してから、端末機２がそのモニタに返信状況情報を表示する一連の動作について、図２９を用いて説明する。
【０１６８】
図２９に示すように、投稿評価システム１の端末機２が要返信情報をサーバ３に送信する工程（ステップＳ８１）を行う。
このとき、複数の端末機２のうち一つの端末機２におけるモニタの端末機２は、モニタの新規投稿画面の「投稿者」、「タイトル」、および、「内容」の各欄に情報が入力された状態で、且つ、端末機２の使用者が端末機２を操作して要返信チェックボックス部７３のチェックボックスにチェックを入力して、端末機２の使用者が「投稿」７０を選択すると、投稿情報とともに、当該投稿情報に関する要返信情報をサーバ３に送信する。
前記端末機２が要返信情報をサーバ３に送信する工程（ステップＳ８１）を行った後、ステップＳ８２に移行する。
【０１６９】
次に、サーバ３が端末機２から送信される要返信情報を受信する工程（ステップＳ８２）を行う。
前記サーバ３が端末機２から送信される要返信情報を受信する工程（ステップＳ８２）を行った後、ステップＳ８３に移行する。
【０１７０】
次に、サーバ３の情報処理部３０が、要返信情報から返信状況情報を生成する工程（ステップＳ８３）を行う。
前記サーバ３の情報処理部３０が、要返信情報から返信状況情報を生成する工程（ステップＳ８３）を行った後、ステップＳ８４に移行する。
【０１７１】
次に、サーバ３が返信状況情報を返信状況情報記憶部４１に記憶する工程（ステップＳ８４）を行う。
前記サーバ３が返信状況情報を返信状況情報記憶部４１に記憶する工程（ステップＳ８４）を行った後、ステップＳ８５に移行する。
【０１７２】
次に、サーバ３が返信状況情報記憶部４１に記憶される返信状況情報を端末機２に送信する工程（ステップＳ８５）を行う。
このとき、サーバ３は、返信状況情報記憶部４１に記憶される返信状況情報を複数の端末機２のそれぞれに送信する。
前記サーバ３が返信状況情報記憶部４１に記憶される返信状況情報を端末機２に送信する工程（ステップＳ８５）を行った後、ステップＳ８６に移行する。
【０１７３】
次に、端末機２がサーバ３から送信される返信状況情報を受信する工程（ステップＳ８６）を行う。
このとき、複数の端末機２が、返信状況情報をそれぞれ受信する。
前記端末機２がサーバ３から送信される返信状況情報を受信する工程（ステップＳ８６）を行った後、ステップＳ８７に移行する。
【０１７４】
次に、端末機２がそのモニタに返信状況情報を表示する工程（ステップＳ８７）を行う。
このとき、複数の端末機２は、それぞれの返信状況画面に返信状況情報を表示する。
前記端末機２がそのモニタに返信状況情報を表示する工程（ステップＳ８７）を行った後、ステップＳ８８に移行する。
【０１７５】
端末機２が、端末機２の使用者によって投稿情報について返信が行われる場合には、当該投稿情報に関する返信情報をサーバ３に送信する工程（ステップＳ８８）を行う。
このとき、端末機２は、モニタの投稿内容画面の投稿内容部６０の「返信」６０ａを端末機２の使用者が選択（クリック）してメイン画面から移行した新規投稿画面において、モニタの新規投稿画面の「投稿者」、「タイトル」、および、「内容」の各欄に情報が入力された状態で端末機２の使用者が「投稿」７０を選択すると、当該投稿情報に関する返信情報をサーバ３に送信する。
前記端末機２が返信情報をサーバ３に送信する工程（ステップＳ８８）を行った後、ステップＳ８９に移行する。
端末機２の使用者によって投稿情報について返信が行われない場合には、当該投稿情報に関する返信情報をサーバ３に送信せずに動作を終了する（ステップＳ８８）。
【０１７６】
次に、サーバ３が、返信情報を受信する工程（ステップＳ８９）を行う。
前記サーバ３が、返信情報を受信する工程（ステップＳ８９）を行った後、ステップＳ９０に移行する。
【０１７７】
次に、サーバ３の情報処理部３０が、前記受信した返信情報（要返信情報が関連付けられた投稿情報についての返信情報）に基づいて返信状況情報記憶部４１に既に記憶されている返信状況情報を更新する工程（ステップＳ９０）を行う。このとき、サーバ３の情報処理部３０は、前記受信した返信情報と返信状況情報記憶部４１に既に記憶されている返信状況情報とを参照して、前記返信情報に関する投稿情報の返信状況についての返信状況情報記憶部４１に既に記憶されている返信状況情報を更新する。
前記サーバ３の情報処理部３０が、前記受信した返信情報に基づいて返信状況情報記憶部４１に既に記憶されている返信状況情報を更新する工程（ステップＳ９０）を行った後、ステップＳ８４に移行する。
【０１７８】
以上のようにして、投稿評価システム１を用いた投稿情報を評価する方法において、端末機２がサーバ３に要返信情報を送信してから、端末機２がそのモニタに返信状況情報を表示する動作を行う。
【０１７９】
次に、本発明の第五実施形態に係る投稿評価システム１について、図３０から図３２を用いて説明する。
なお、第五実施形態に係る投稿評価システム１の説明は、第一実施形態、第二実施形態、第三実施形態、または、第四実施形態に係る投稿評価システム１と同様の構成の部分については適宜省略し、第一実施形態、第二実施形態、第三実施形態、または、第四実施形態に係る投稿評価システム１の構成と異なる部分を中心に説明する。
【０１８０】
投稿評価システム１におけるサーバ３は、図３０に示すように、情報処理部３０と、投稿情報記憶部３１と、評価情報記憶部３２と、既読情報記憶部３３と、読了率情報記憶部３４と、ＩＤ情報記憶部３５と、重要投稿情報記憶部３６と、ミーティング報告情報記憶部３７と、ミーティング実施情報記憶部３８と、部門情報記憶部３９と、課題分担スケジュール情報記憶部４０と、返信状況情報記憶部４１と、返信情報記憶部４２と、を備える。
サーバ３の返信情報記憶部４２は、返信情報を記憶するように構成される。
【０１８１】
サーバ３は、その情報処理部３０が、端末機２から送信される返信情報（受信した返信情報）と、返信情報記憶部４２に既に記憶されている返信情報とを集計する処理を行うように構成される。
サーバ３は、前記情報処理部３０によって前記集計する処理が行われる毎に、返信情報記憶部４２に記憶される返信情報が更新されるように構成される。
【０１８２】
サーバ３は、返信情報記憶部４２に記憶される返信情報を、複数の端末機２のそれぞれに送信するように構成される。
複数の端末機２は、サーバ３から送信される返信情報、を受信するように構成される。複数の端末機２は、前記受信した返信情報を、それぞれのモニタに表示するように構成される。
【０１８３】
端末機２のモニタに表示されるメイン画面は、図３１に示すように、投稿情報一覧表示部５０と、読了率情報表示部５１と、検索部５３と、「新規投稿」５４と、ミーティング実施情報表示部５５と、「課題管理」５８と、「返信状況」９５と、「返信情報表示部」９６と、が表示されるように構成される。
【０１８４】
端末機２におけるモニタのメイン画面の「返信情報表示部」９６には、前記受信した返信情報が投稿情報（投稿情報の「投稿番号」）毎に表示される。
端末機２におけるモニタのメイン画面の「返信情報表示部」９６は、返信数の多い返信情報から順に上から並べて表示される。
端末機２は、モニタのメイン画面の「返信情報表示部」９６の投稿情報の「投稿番号」を端末機２の使用者が選択（クリック）すると、メイン画面から投稿内容画面に移行するように構成される。
【０１８５】
以上のように、投稿評価システム１は、端末機２から送信される返信情報と返信情報記憶部４２に記憶される返信情報とを集計する処理がサーバ３の情報処理部３０によって行われる毎に、サーバ３の返信情報記憶部４２に記憶される返信情報が更新されるように構成される。
投稿評価システム１は、前記更新された返信情報が複数の端末機２に送信されて、当該複数の端末機２のそれぞれのモニタに返信情報が表示されるように構成される。
このため、投稿評価システム１では、端末機２の使用者は、操作する端末機２のモニタを見れば、複数の投稿情報のうち返信数の多い投稿情報について把握することができる。
そして、投稿評価システム１では、前記返信数の多い投稿情報は、他の投稿情報に比べて読み進めていく優先順位が高いものと、操作する端末機２の使用者に認識させることができる。
このようにして、投稿評価システム１によれば、複数の端末機２の使用者が複数の投稿情報の中から優先して読むべき投稿情報を直ぐに判断することができる。
【０１８６】
次に、投稿評価システム１を用いた投稿情報を評価する方法において、端末機２がサーバ３に返信情報を送信してから、端末機２がそのモニタに返信情報を表示する一連の動作について、図３２を用いて説明する。
【０１８７】
図３２に示すように、投稿評価システム１の端末機２が返信情報をサーバ３に送信する工程（ステップＳ８８）を行う。
前記端末機２が返信情報をサーバ３に送信する工程（ステップＳ８８）を行った後、ステップＳ８９に移行する。
【０１８８】
次に、サーバ３が端末機２から送信される返信情報を受信する工程（ステップＳ８９）を行う。
前記サーバ３が端末機２から送信される返信情報を受信する工程（ステップＳ８９）を行った後、ステップＳ１０３に移行する。
【０１８９】
次に、サーバ３の情報処理部３０が、受信した返信情報と、返信情報記憶部４２に既に記憶されている返信情報と、を集計する工程（ステップＳ１０３）を行う。
前記サーバ３の情報処理部３０が、受信した返信情報と、返信情報記憶部４２に既に記憶されている返信情報と、を集計する工程（ステップＳ１０３）を行った後、ステップＳ１０４に移行する。
【０１９０】
次に、サーバ３の情報処理部３０が集計する処理を行った返信情報を、返信情報記憶部４２に記憶する工程（ステップＳ１０４）を行う。
このようにして、サーバ３の情報処理部３０が集計する処理を行う毎に返信情報記憶部４２に記憶される返信情報を更新する。
前記サーバ３の情報処理部３０が集計する処理を行った返信情報を返信情報記憶部４２に記憶する工程（ステップＳ１０４）行った後、ステップＳ１０５に移行する。
【０１９１】
次に、サーバ３の返信情報記憶部４２に記憶される返信情報を端末機２に送信する工程（ステップＳ１０５）を行う。
このとき、サーバ３は、返信情報記憶部４２に記憶される返信情報を複数の端末機２のそれぞれに送信する。
前記サーバ３が返信情報記憶部４２に記憶される返信情報を端末機２に送信する工程（ステップＳ１０５）を行った後、ステップＳ１０６に移行する。
【０１９２】
次に、端末機２がサーバ３から送信される返信情報を受信する工程（ステップＳ１０６）を行う。
このとき、複数の端末機２が、返信情報をそれぞれ受信する。
前記端末機２がサーバ３から送信される返信情報を受信する工程（ステップＳ１０６）を行った後、ステップＳ１０７に移行する。
【０１９３】
次に、端末機２がそのモニタに返信情報を表示する工程（ステップＳ１０７）を行う。
このとき、複数の端末機２は、それぞれのモニタのメイン画面の「返信情報表示部」９６に返信情報を表示する。
【０１９４】
以上のようにして、投稿評価システム１を用いた投稿情報を評価する方法において、端末機２がサーバ３に返信情報を送信してから、端末機２がそのモニタに返信情報を表示する動作を行う。
【０１９５】
次に、本発明の第六実施形態に係る投稿評価システム１について、図３３から図３５を用いて説明する。
なお、第六実施形態に係る投稿評価システム１の説明は、第一実施形態、第二実施形態、第三実施形態、第四実施形態、または、第五実施形態に係る投稿評価システム１と同様の構成の部分については適宜省略し、第一実施形態、第二実施形態、第三実施形態、第四実施形態、または、第五実施形態に係る投稿評価システム１の構成と異なる部分を中心に説明する。
【０１９６】
投稿評価システム１は、通信ネットワーク４を介して、ＩＤ登録を受けている端末機２の使用者から、投稿情報を受付け、投稿情報についての評価情報を受付け、ミーティング報告情報を受付け、課題指示をする課題指示付きの投稿情報を受付け、課題分担スケジュール情報の更新を受付けることに加えて、要返信情報を受付け、返信情報を受付け、また、引用情報を受付けるように構成される。
【０１９７】
投稿評価システム１におけるサーバ３は、図３３に示すように、情報処理部３０と、投稿情報記憶部３１と、評価情報記憶部３２と、既読情報記憶部３３と、読了率情報記憶部３４と、ＩＤ情報記憶部３５と、重要投稿情報記憶部３６と、ミーティング報告情報記憶部３７と、ミーティング実施情報記憶部３８と、部門情報記憶部３９と、課題分担スケジュール情報記憶部４０と、返信状況情報記憶部４１と、引用情報記憶部４３と、を備える。
サーバ３の引用情報記憶部４３は、引用情報を記憶するように構成される。
【０１９８】
ここで、引用情報とは、投稿情報が引用されていることに関する情報である。
【０１９９】
投稿評価システム１における複数の端末機２は、端末機２の使用者にそれぞれ操作されることによって、引用情報をサーバ３に送信するように構成される。
端末機２は、モニタの新規投稿画面の「内容」の欄に、引用元の投稿情報の「投稿番号」が入力された（貼り付けられた）状態で「投稿」７０が選択されると、前記入力された「投稿番号」の投稿情報（引用元の投稿情報）に関する引用情報を、サーバ３に送信するように構成される。
【０２００】
サーバ３は、複数の端末機２から送信される引用情報を受信するように構成される。
サーバ３は、その情報処理部３０が、端末機２から送信される引用情報（受信した引用情報）と、引用情報記憶部４３に既に記憶されている引用情報とを集計する処理を行うように構成される。
サーバ３は、引用情報記憶部４３によって前記集計する処理が行われる毎に、引用情報記憶部４３に記憶される引用情報が更新されるように構成される。
【０２０１】
サーバ３は、引用情報記憶部４３に記憶される引用情報を、複数の端末機２のそれぞれに送信するように構成される。
複数の端末機２は、サーバ３から送信される引用情報、を受信するように構成される。複数の端末機２は、前記受信した引用情報を、それぞれのモニタに表示するように構成される。
【０２０２】
端末機２のモニタに表示されるメイン画面は、図３４に示すように、投稿情報一覧表示部５０と、読了率情報表示部５１と、検索部５３と、「新規投稿」５４と、ミーティング実施情報表示部５５と、「課題管理」５８と、「返信状況」９５と、「引用情報表示部」９７と、が表示されるように構成される。
【０２０３】
端末機２におけるモニタのメイン画面の「引用情報表示部」９７には、前記受信した引用情報が投稿情報（投稿情報の「投稿番号」）毎に表示される。
端末機２におけるモニタのメイン画面の「引用情報表示部」９７は、引用数の多い引用情報から順に上から並べて表示される。
端末機２は、モニタのメイン画面の「引用情報表示部」９７の投稿情報の「投稿番号」を端末機２の使用者が選択（クリック）すると、メイン画面から投稿内容画面に移行するように構成される。
【０２０４】
以上のように、投稿評価システム１は、端末機２から送信される引用情報と引用情報記憶部４３に記憶される引用情報とを集計する処理がサーバ３の情報処理部３０によって行われる毎に、サーバ３の引用情報記憶部４３に記憶される引用情報が更新されるように構成される。
投稿評価システム１は、前記更新された引用情報が複数の端末機２に送信されて、当該複数の端末機２のそれぞれのモニタに引用情報が表示されるように構成される。
このため、投稿評価システム１では、端末機２の使用者は、操作する端末機２のモニタを見れば、複数の投稿情報のうち引用数の多い投稿情報について把握することができる。
そして、投稿評価システム１では、前記引用数の多い投稿情報は、他の投稿情報に比べて読み進めていく優先順位が高いものと、操作する端末機２の使用者に認識させることができる。
このようにして、投稿評価システム１によれば、複数の端末機２の使用者が複数の投稿情報の中から優先して読むべき投稿情報を直ぐに判断することができる。
【０２０５】
次に、投稿評価システム１を用いた投稿情報を評価する方法において、端末機２がサーバ３に引用情報を送信してから、端末機２がそのモニタに引用情報を表示する一連の動作について、図３５を用いて説明する。
【０２０６】
図３５に示すように、投稿評価システム１の端末機２が引用情報をサーバ３に送信する工程（ステップＳ１１１）を行う。
このとき、端末機２は、モニタの新規投稿画面の「内容」の欄に、引用元の投稿情報の「投稿番号」を入力された（貼り付けられた）状態で「投稿」７０が選択されると、前記入力された「投稿番号」の投稿情報（引用元の投稿情報）に関する引用情報を、サーバ３に送信する。
前記端末機２が引用情報をサーバ３に送信する工程（ステップＳ１１１）を行った後、ステップＳ１１２に移行する。
【０２０７】
次に、サーバ３が端末機２から送信される引用情報を受信する工程（ステップＳ１１２）を行う。
前記サーバ３が端末機２から送信される引用情報を受信する工程（ステップＳ１１２）を行った後、ステップＳ１１３に移行する。
【０２０８】
次に、サーバ３の情報処理部３０が、受信した引用情報と、引用情報記憶部４３に既に記憶されている引用情報と、を集計する工程（ステップＳ１１３）を行う。
前記サーバ３の情報処理部３０が、受信した引用情報と、引用情報記憶部４３に既に記憶されている引用情報と、を集計する工程（ステップＳ１１３）を行った後、ステップＳ１１４に移行する。
【０２０９】
次に、サーバ３の情報処理部３０が集計する処理を行った引用情報を、引用情報記憶部４３に記憶する工程（ステップＳ１１４）を行う。
このようにして、サーバ３の情報処理部３０が集計する処理を行う毎に引用情報記憶部４３に記憶される引用情報を更新する。
前記サーバ３の情報処理部３０が集計する処理を行った引用情報を引用情報記憶部４３に記憶する工程（ステップＳ１１４）行った後、ステップＳ１１５に移行する。
【０２１０】
次に、サーバ３の引用情報記憶部４３に記憶される引用情報を端末機２に送信する工程（ステップＳ１１５）を行う。
このとき、サーバ３は、引用情報記憶部４３に記憶される引用情報を複数の端末機２のそれぞれに送信する。
前記サーバ３が引用情報記憶部４３に記憶される引用情報を端末機２に送信する工程（ステップＳ１１５）を行った後、ステップＳ１１６に移行する。
【０２１１】
次に、端末機２がサーバ３から送信される引用情報を受信する工程（ステップＳ１１６）を行う。
このとき、複数の端末機２が、引用情報をそれぞれ受信する。
前記端末機２がサーバ３から送信される引用情報を受信する工程（ステップＳ１１６）を行った後、ステップＳ１１７に移行する。
【０２１２】
次に、端末機２がそのモニタに引用情報を表示する工程（ステップＳ１１７）を行う。
このとき、複数の端末機２は、それぞれのモニタのメイン画面の「引用情報表示部」９７に返信情報を表示する。
【０２１３】
以上のようにして、投稿評価システム１を用いた投稿情報を評価する方法において、端末機２がサーバ３に引用情報を送信してから、端末機２がそのモニタに引用情報を表示する動作を行う。
【０２１４】
また、投稿評価システム１におけるサーバ３は、返信情報記憶部４２と、引用情報記憶部４３と、を具備し、端末機２から送信される返信情報と返信情報記憶部４２に記憶される返信情報とを集計する処理がサーバ３の情報処理部３０によって行われる毎にサーバ３の返信情報記憶部４２に記憶される返信情報が更新されるように構成されるとともに、端末機２から送信される引用情報と引用情報記憶部４３に記憶される引用情報とを集計する処理がサーバ３の情報処理部３０によって行われる毎にサーバ３の引用情報記憶部４３に記憶される引用情報が更新されるように構成してもよい。このとき、端末機２は、モニタのメイン画面は、「返信情報表示部」９６と、「引用情報表示部」９７と、が同時に表示されるように構成してもよい。
【符号の説明】
【０２１５】
１    投稿評価システム
２    端末機
３    サーバ
４    通信ネットワーク
２０  情報処理部
２１  既読情報記憶部
２２  ＩＤ情報記憶部
３０  情報処理部
３１  投稿情報記憶部
３２  評価情報記憶部
３３  評価情報記憶部
３４  読了率情報記憶部
３５  ＩＤ情報記憶部
３６  重要投稿情報記憶部
【図１】
2014013509.tif 000003
【図２】
2014013509.tif 000004
【図３】
2014013509.tif 000005
【図４】
2014013509.tif 000006
【図５】
2014013509.tif 000007
【図６】
2014013509.tif 000008
【図７】
2014013509.tif 000009
【図８】
2014013509.tif 000010
【図９】
2014013509.tif 000011
【図１０】
2014013509.tif 000012
【図１１】
2014013509.tif 000013
【図１２】
2014013509.tif 000014
【図１３】
2014013509.tif 000015
【図１４】
2014013509.tif 000016
【図１５】
2014013509.tif 000017
【図１６】
2014013509.tif 000018
【図１７】
2014013509.tif 000019
【図１８】
2014013509.tif 000020
【図１９】
2014013509.tif 000021
【図２０】
2014013509.tif 000022
【図２１】
2014013509.tif 000023
【図２２】
2014013509.tif 000024
【図２３】
2014013509.tif 000025
【図２４】
2014013509.tif 000026
【図２５】
2014013509.tif 000027
【図２６】
2014013509.tif 000028
【図２７】
2014013509.tif 000029
【図２８】
2014013509.tif 000030
【図２９】
2014013509.tif 000031
【図３０】
2014013509.tif 000032
【図３１】
2014013509.tif 000033
【図３２】
2014013509.tif 000034
【図３３】
2014013509.tif 000035
【図３４】
2014013509.tif 000036
【図３５】
2014013509.tif 000037